(57)【要約】デジタル信号に変換された複合カラー映像信号を所定のクロックにより処理する映像信号処理回路であって、クロック発生手段（２）が、所定のクロックを発生し、バースト位相検出手段（３）が、複合カラー映像信号のそれぞれのラインにおいての色副搬送波の位相情報（ｐ）を検出し、位相差算出手段（４）が、バースト位相検出手段（３）からの位相情報（ｐ）と所定の基準位相との位相差を求め、サンプリング位相変換手段（８）が位相差算出手段（４）からの位相補正量（Δｂ，Δｔ）に基づき、複合カラー映像信号のサンプリングの位相を補正し、ＹＣ分離手段（９）が、サンプリング位相変換手段（８）から出力された複合カラー映像信号から、輝度信号と色信号を分離する。放送方式や非標準信号によらず、良好な２次元または３次元ＹＣ分離を行うことができる。
2005022928.tif 000002
【特許請求の範囲】
【請求項１】
アナログ複合カラー映像信号をサンプリングしてからデジタル信号に変換し、所定のクロックにより処理する映像信号処理回路であって、
上記所定のクロックを発生するクロック発生手段と、
上記複合カラー映像信号のそれぞれのラインにおいての色副搬送波の位相情報を検出する位相検出手段と、
上記位相検出手段からの位相情報と所定の基準位相との位相差を求めさらに、これに基いて位相補正量を求め、出力する位相差算出手段と、
上記位相差算出手段から出力される位相補正量に基づき、上記複合カラー映像信号の上記サンプリングの位相を補正するサンプリング位相変換手段と、
上記サンプリング位相変換手段から出力された複合カラー映像信号から、輝度信号と色信号を分離するＹＣ分離手段と
を備えたことを特徴とする映像信号処理回路。
【請求項２】
上記位相検出手段は、上記複合カラー映像信号のそれぞれのラインのバースト位相を検出し、そのラインの色副搬送波の位相情報として出力することを特徴とする請求項１記載の映像信号処理回路。
【請求項３】
色副搬送波基準信号に基づき、上記ＹＣ分離手段により分離された色信号を色差信号に色復調する色復調手段さらに備え、
上記位相検出手段は、上記複合カラー映像信号のそれぞれのラインのバースト位相を検出し、そのラインの色副搬送波の位相情報として出力するとともに、検出したバースト位相に基づき、上記色副搬送波基準信号を生成する
ことを特徴とする請求項１記載の映像信号処理回路。
【請求項４】
上記所定の基準位相は、あらかじめ決められた固定の位相値と注目ラインの上記位相情報とに基づいて定められた注目ラインの基準位相であり、
上記位相差算出手段は、上記注目ラインから所定のライン数またはフィールド数離れた特定ラインの上記位相情報と上記注目ラインの基準位相との位相差を求める
ことを特徴とする請求項１記載の映像信号処理回路。
【請求項５】
上記位相差算出手段は、
上記位相検出手段からの位相情報を所定のライン数またはフィールド数遅延する遅延手段と、
上記特定ラインの位相情報と上記注目ラインの位相情報を含む上記注目ラインの基準位相との位相差を位相誤差として求める位相誤差算出手段と、
上記位相誤差を、上記クロック発生手段クロックの１周期を基準とする値に換算した位相補正量に変換する補正量変換手段と
を有することを特徴とする請求項４記載の映像信号処理回路。
【請求項６】
上記所定の基準位相は、上記複合カラー映像信号のライン位置に応じてあらかじめ決められた固定の位相値からなる固定の基準位相であり、
上記位相差算出手段は、上記位相情報と上記固定の基準位相との位相差を求める
ことを特徴とする請求項１記載の映像信号処理回路。
【請求項７】
上記位相差算出手段は、
上記位相検出手段からの位相情報を所定のライン数またはフィールド数遅延する遅延手段と、
注目ラインの位相情報と上記固定の基準位相との位相差、および上記注目ラインから上記所定のライン数またはフィールド数離れた特定ラインの位相情報と上記固定の基準位相との位相差を、それぞれ位相誤差として求める位相誤差算出手段と、
上記位相誤差を、上記クロックの１周期を基準とする値に換算した位相補正量に変換する補正量変換手段と有する
ことを特徴とする請求項６記載の映像信号処理回路。
【請求項８】
上記位相差算出手段は、
上記位相検出手段からの位相情報と上記固定の基準位相との位相差を位相誤差として求める位相誤差算出手段と、
上記位相誤差を、上記クロックの１周期を基準とする値に換算した位相補正量に変換する補正量変換手段とを有する
ことを特徴とする請求項６記載の映像信号処理回路。
【請求項９】
上記サンプリング位相変換手段は、
上記複合カラー映像信号を所定のライン数またはフィールド数遅延する遅延手段と、
上記位相差算出手段からの出力に基づき、注目ラインから所定のライン数またはフィールド数離れた特定ラインの複合カラー映像信号、または上記注目ラインおよび上記特定ラインの複合カラー映像信号のサンプリング位相を補正する位相補正手段と
を有する
ことを特徴とする請求項１記載の映像信号処理回路。
【請求項１０】
上記位相補正手段は、
上記位相差算出手段からの出力に対応する群遅延を持つフィルタの係数を発生する係数発生手段と、
上記複合カラー映像信号に対し、上記係数によるフィルタ処理を行うフィルタ手段と
を有する
ことを特徴とする請求項９記載の映像信号処理回路。
【請求項１１】
上記位相補正手段は、
上記複合カラー映像信号に対し、所定の遅延を与える遅延手段を複数個備え、
上記位相差算出手段からの出力に応じて、上記複数個の遅延手段からの出力を選択する手段を備えた
ことを特徴とする請求項９記載の映像信号処理回路。
【請求項１２】
上記位相補正手段は、
上記複合カラー映像信号のサンプリングの位置から、上記位相差算出手段からの出力に対応する位相差分ずれた位置に相当する点の値を求めるための補間フィルタの係数を発生する係数発生手段と、
上記複合カラー映像信号に対し、上記係数によるフィルタ処理を行うフィルタ手段と
を有する
ことを特徴とする請求項９記載の映像信号処理回路。
【請求項１３】
入力されるアナログ複合カラー映像信号をデジタル複合カラー映像信号に変換するＡ／Ｄ変換手段をさらに有し、
上記サンプリング位相変換手段は、
上記位相差算出手段からの出力に基づき、上記クロック発生手段からのクロックの位相を補正するクロック位相補正手段と、
上記デジタル化された複合カラー映像信号を所定のライン数またはフィールド数遅延する遅延手段とを有し、
上記Ａ／Ｄ変換手段は、上記複合カラー映像信号を上記クロック位相補正手段により位相が補正されたクロックによりデジタル信号に変換する
ことを特徴とする請求項１記載の映像信号処理回路。
【請求項１４】
上記ＹＣ分離手段は、上記サンプリング位相変換手段からの出力である複合カラー映像信号を用いて、複数のラインにおける複合カラー映像信号からラインくし形フィルタまたはフレームくし形フィルタで輝度信号と色信号を分離することを特徴とする請求項１記載の映像信号処理回路。
【請求項１５】
上記クロック発生手段は、上記複合カラー映像信号の放送方式にかかわらず、周波数が１３．５［ＭＨｚ］の整数倍のクロックを発生し、複合カラー映像信号を処理することを特徴とする請求項１記載の映像信号処理回路。
【請求項１６】
上記クロック発生手段は、複合カラー映像信号のバースト信号に位相同期するバーストロッククロックを発生し、複合カラー映像信号を処理することを特徴とする請求項１記載の映像信号処理回路。
【請求項１７】
上記クロック発生手段は、複合カラー映像信号の水平同期信号に位相同期するラインロッククロックを発生し、複合カラー映像信号を処理することを特徴とする請求項１記載の映像信号処理回路。
【請求項１８】
複合カラー映像信号の放送方式を設定する放送方式設定手段をさらに備え、
上記位相検出手段は、上記放送方式設定手段により設定された放送方式に応じて、色副搬送波の位相を検出し、
上記位相差算出手段は、上記設定された放送方式に応じて上記位相差を求め、
上記ＹＣ分離手段は、上記設定された放送方式に応じて、複合カラー映像信号から輝度信号と色信号を分離する
ことを特徴とする請求項１に記載の映像信号処理回路。
【請求項１９】
請求項１に記載の映像信号処理回路を備えることを特徴とする映像信号表示装置。
【請求項２０】
請求項１に記載の映像信号処理回路を備えることを特徴とする映像信号記録装置。
【発明の詳細な説明】
【技術分野】
【０００１】  本発明は、複合カラー映像信号（コンポジット映像信号）を入力とし、輝度信号および色信号に分離するための輝度信号色信号分離（ＹＣ分離）手段を含む映像信号処理に関し、特に複合カラー映像信号のサンプリング位相を変換する映像信号処理に関する。
【背景技術】
【０００２】  アナログカラーテレビジョン（ＴＶ）標準放送方式としては、米国や日本で用いられるＮＴＳＣ方式、主に西ヨーロッパで用いられるＰＡＬ方式、フランスなどで用いられるＳＥＣＡＭ方式などさまざまな方式がある。また、ＶＴＲやゲーム機などの普及により、映像信号には上記標準放送方式の信号（標準信号）とはならない非標準信号がある。近年、複数の放送方式の標準、非標準の映像信号をデジタル信号処理する映像信号処理装置の開発が行われている。【０００３】  このようなデジタル映像信号処理においては、所定のサンプリングクロックによりアナログ信号をデジタル信号に変換（Ａ／Ｄ変換）した後に、コンポジット信号から輝度信号（Ｙ信号）と色信号（Ｃ信号）に分離（ＹＣ分離）をする。【０００４】  従来の映像信号処理回路では、コンポジット信号のブランキング期間に重畳されているバースト信号（色信号位相と振幅の基準信号）での色副搬送波周波数（ｆｓｃ）を基準とし、バースト・ロック・クロックを発生することでＹＣ分離処理を行っている（例えば、特許文献１参照）。【０００５】  また、複数の放送方式に対応するため、共通した単一のフリーランクロックでサンプリングしたコンポジット信号を、バーストロックした色副搬送波周波数の４倍（以下、４ｆｓｃ）のサンプリングデータにサンプリング周波数変換し、ＹＣ分離処理をするものがある（例えば、特許文献２，３参照）。【０００６】  ＹＣ分離の方法としては、一般的に、色信号の周波数帯域による水平周波数分離フィルタを用いる方法（以下、１次元ＹＣ分離）があり、さらに、高画質化のため、ＮＴＳＣ方式において、色副搬送波の位相が１水平走査（１ライン）ごとに反転していることを利用して行うラインくし形フィルタを用いた２次元ＹＣ分離（例えば、特許文献４参照）や、同じ１水平走査（１ライン）の色副搬送波の位相が１フレームごとに反転していることを利用して行うフレームくし形フィルタによる３次元ＹＣ分離がある（例えば、特許文献５参照）。【０００７】  これらの２次元ＹＣ分離、３次元ＹＣ分離では、ライン間もしくはフレーム間の相関（ライン間またはフレーム間の色副搬送波位相の関係）を用いて、例えばＮＴＳＣ方式の標準信号のように、水平周期（ライン間周期）もしくはフレーム間周期での色副搬送波位相の関係が反転（位相差が１８０°）する性質を利用して、ＹＣ分離処理をする。【０００８】  一方、複数の放送方式には、バーストロックした場合に、ライン間もしくはフレーム間の位相関係がＮＴＳＣ方式とは異なり、位相が反転しない映像信号があり（例えば、ＮＴＳＣ−４．４３方式，ＰＡＬ方式など）、また、ＶＴＲやゲーム機などの非標準信号では、ライン間の位相関係が崩れ、位相が必ずしも１８０°反転しない。従って、ラインごとの色副搬送波位相がずれ、正しく１８０°反転しない場合には、２次元または３次元ＹＣ分離において、輝度信号と色信号の分離を正確に行うことができず、精度が劣化し、ドット妨害などの画質劣化の原因となる。【０００９】  このため、上記の色副搬送波の位相関係とはならない放送方式のコンポジット信号や、色副搬送波の位相のずれなどが生じる非標準信号に対しては、完全に２次元もしくは３次元��Ｃ分離を適用することができず、１次元ＹＣ分離もしくは２次元ＹＣ分離に切り換えることにより、各放送方式の標準・非標準信号に対応したＹＣ分離処理を行っている（例えば、特許文献３，６，７参照）。【００１０】
【特許文献１】特開平１０−１６４６１８号公報（図１）
【特許文献２】特開２００１−１１２０１６号公報（図１）
【特許文献３】特開２００２−３１５０１８号公報（図１，図６）
【特許文献４】特許第２５６６３４２号公報（第１図）
【特許文献５】特開平１−１７４０８８号公報（第１図）
【特許文献６】特開平７−１３１８１９号公報（図１）
【特許文献７】特開２００３−９２７６６号公報（図１）
【発明の開示】
【発明が解決しようとする課題】
【００１１】  このように、上記従来の映像信号処理回路においては、色副搬送波の位相にずれを生じる非標準信号、さらに、標準信号であっても、ＮＴＳＣ方式以外の色副搬送波の位相が反転関係とならない放送方式に対しては、ライン間またはフレーム間の色副搬送波の位相関係による２次元ＹＣ分離または３次元ＹＣ分離を行うことができず、クロスカラーやドット妨害などの画質劣化が生じ、良好なＹＣ分離を行うことができず、また、画質劣化なく、良好な映像信号を表示若しくは記録することができないという課題があった。【００１２】  本発明は、このような従来の課題を解決するためになされたものであり、コンポジット信号のライン間もしくはフレーム間での位相関係や非標準信号であるかによらず、良好な２次元または３次元ＹＣ分離を行い、ＹＣ分離後の画質劣化を防ぐことができる映像信号処理回路、映像信号表示装置、及び映像信号記録装置を得ることを目的とする。
【課題を解決するための手段】
【００１３】  本発明は、
アナログ複合カラー映像信号をサンプリングしてからデジタル信号に変換し、所定のクロックにより処理する映像信号処理回路であって、
上記所定のクロックを発生するクロック発生手段と、
上記複合カラー映像信号のそれぞれのラインにおいての色副搬送波の位相情報を検出する位相検出手段と、
上記位相検出手段からの位相情報と所定の基準位相との位相差を求めさらに、これに基いて位相補正量を求め、出力する位相差算出手段と、
上記位相差算出手段から出力される位相補正量に基づき、上記複合カラー映像信号の上記サンプリングの位相を補正するサンプリング位相変換手段と、
上記サンプリング位相変換手段から出力された複合カラー映像信号から、輝度信号と色信号を分離するＹＣ分離手段と
を備えたことを特徴とする映像信号処理回路を提供する。
【発明の効果】
【００１４】  本発明によれば、ライン間もしくはフレーム間での色副搬送波の位相の差を補正し、色副搬送波の位相を２次元または３次元ＹＣ分離で用いる位相関係となるようなサンプリング点に合わせることができるので、ライン間もしくはフレーム間での位相関係や非標準信号によらず、複数の放送方式の信号、非標準信号に対し、良好な２次元または３次元ＹＣ分離を行い、ＹＣ分離後の画質劣化を防ぐことができるという効果がある。
【図面の簡単な説明】
【００１５】［図１］本発明の実施の形態１の映像信号処理回路の構成例を示すブロック図である。
［図２］本発明の実施の形態１の映像信号処理回路におけるバースト位相検出手段の構成例を示すブロック図である。
［図３］本発明の実施の形態１の映像信号処理回路における位相算出手段の構成例を示すブロック図である。
［図４］本発明の実施の形態１の映像信号処理回路におけるサンプリング位相変換手段の構成例を示すブロック図である。
［図５］本発明の実施の形態１の映像信号処理回路における位相変換フィルタの構成例を示すブロック図である。
［図６］本発明の実施の形態１の映像信号処理回路におけるＹＣ分離手段の構成例を示すブロック図である。
［図７］本発明の実施の形態１の映像信号処理回路におけるサンプリング位相変換後のライン間での色副搬送波位相を説明する図である。
［図８］本発明の実施の形態１のサンプリング位相の変換をより詳細に示す図である。
［図９］本発明の実施の形態１の映像信号処理回路における位相変換フィルタの他の構成例を示すブロック図である。
［図１０］本発明の実施の形態１の映像信号処理回路における位相変換フィルタの他の構成例を示すブロック図である。
［図１１］本発明の実施の形態２の映像信号処理回路の構成例を示すブロック図である。
［図１２］本発明の実施の形態２の映像信号処理回路における位相算出手段の構成例を示すブロック図である。
［図１３］本発明の実施の形態２の映像信号処理回路におけるサンプリング位相変換手段の構成例を示すブロック図である。
［図１４］本発明の実施の形態３の映像信号処理回路の構成例を示すブロック図である。
［図１５］本発明の実施の形態３の映像信号処理回路における位相算出手段の構成例を示すブロック図である。
［図１６］本発明の実施の形態３におけるクロック位相の補正を示す図である。
［図１７］本発明の実施の形態３の映像信号処理回路におけるライン遅延選択手段の構成例を示すブロック図である。
［図１８］本発明の実施の形態４の映像信号処理回路の構成例を示すブロック図である。
［図１９］本発明の実施の形態４の映像信号処理回路におけるバースト信号位相検波手段の構成例を示すブロック図である。
［図２０］本発明の実施の形態５の映像信号処理回路の構成例を示すブロック図である。
［図２１］本発明の実施の形態５の映像信号処理回路における位相算出手段の構成の一例を示すブロック図である。
［図２２］本発明の実施の形態５の映像信号処理回路におけるフレームサンプリング位相変換手段の構成例を示すブロック図である。
［図２３］本発明の実施の形態５の映像信号処理回路におけるＹＣ分離手段の構成例を示すブロック図である。
［図２４］本発明の実施の形態５の映像信号処理回路における位相算出手段の他の構成例を示すブロック図である。
［図２５］本発明の実施の形態５の映像信号処理回路におけるフレームサンプリング位相変換手段の他の構成例を示すブロック図である。
［図２６］本発明の実施の形態６の映像信号処理回路の構成例を示すブロック図である。
［図２７］本発明の実施の形態７による映像信号表示装置の構成例を示すブロック図である。
［図２８］本発明の実施の形態７による映像信号表示装置の他の構成例を示すブロック図である。
［図２９］本発明の実施の形態７による映像信号表示装置の他の構成例を示すブロック図である。
［図３０］本発明の実施の形態７による映像信号表示装置の他の構成例を示すブロック図である。
［図３１］本発明の実施の形態８による映像信号表示装置の構成例を示すブロック図である。
［図３２］本発明の実施の形態８による映像信号表示装置の他の構成例を示すブロック図である。
［図３３］本発明の実施の形態９による映像信号記録装置の構成例を示すブロック図である。
［図３４］本発明の実施の形態９による映像信号記録装置の他の構成例を示すブロック図である。
［図３５］本発明の実施の形態９による映像信号記録装置の他の構成例を示すブロック図である。
［図３６］本発明の実施の形態９による映像信号記録装置の他の構成例を示すブロック図である。
［図３７］本発明の実施の形態１０による映像信号記録装置の構成例を示すブロック図である。
［図３８］本発明の実施の形態１０による映像信号記録装置の他の構成例を示すブロック図である。
【符号の説明】
【００１６】  １  Ａ／Ｄ変換手段、２  クロック発生手段、３  バースト位相検出手段、４  位相差算出手段、５  同期分離手段、６，６ａ，６ｂ，６ｃ  タイミング信号発生手段、７  放送方式設定手段、８  サンプリング位相変換手段、９  ＹＣ分離手段、１０  バースト信号位相検波手段、１１  バースト信号抽出手段、１２  位相比較手段、１３  ループ・フィルタ、１４  ＮＣＯ、１５  正弦波ＲＯＭ、２１〜２４  遅延手段、２５  選択手段、２６  位相誤差算出手段、２７  位相補正量変換手段、３０〜３３  １ライン遅延手段、３４  遅延補償手段、３５  選択手段、３６  位相変換フィルタ、３７  遅延補償手段、３８  位相変換フィルタ、４０  係数発生手段、４１ａ〜４１ｈ  １クロック遅延手段、４２  増幅回路、４３  加算器、４４  １クロック遅延手段、４５  選択手段、４６−１〜４６−Ｎ  補正量遅延手段、４７  選択手段、４８  係数発生手段、４９  補間フィルタ、５０  垂直方向色信号抽出フィルタ、５１  水平方向色信号抽出フィルタ、５２  水平垂直方向色信号抽出フィルタ、５３  相関判定手段、５４  選択手段、５５  減算器、６０  位相差算出手段、６１  サンプリング位相変換手段、６２  位相誤差算出手段、６３  位相補正量変換手段、６４〜６６  位相変換フィルタ、７０  クロック位相補正手段、７１  位相差算出手段、７２  ライン遅延選択手段、７３  位相誤差算出手段、７４  位相補正量変換手段、７５ａ〜７５ｄ  １ライン遅延手段、７６  遅延補償手段、７７  選択手段、８１  位相差算出手段、８２  フレームサンプリング位相変換手段、８３  ＹＣ分離手段、８４  １フレーム遅延手段、８５  位相誤差算出手段、８６  位相補正量変換手段、８７  １フレーム遅延手段、８８  遅延補償手段、８９  位相変換手段、９０  減算器、９１  ＢＰＦ、９２  減算器、９３  位相誤差算出手段、９４  位相補正量変換手段、９５，９６  位相変換手段、１００  入力端子、１０１，１０２，１０３，１０４，１０５  出力端子、１１０  色復調手段、２００，２０２  表示処理手段、２０１  表示手段、３００，３０２  記録信号処理手段、３０１  記録手段。
【発明を実施するための最良の形態】
【００１７】  本発明の実施の形態の映像信号処理回路は、コンポジット信号のそれぞれのラインのバースト位相から色副搬送波の位相情報を検出し、その位相情報と所定の基準位相との位相差を求め、その位相差に基づいてコンポジット信号のサンプリング位相を補正し、輝度信号と色信号を分離することを特徴とする。【００１８】実施の形態１．
図１は本発明の実施の形態１の映像信号処理回路の構成例を示すブロック図である。図１において、実施の形態１の映像信号処理回路は、Ａ／Ｄ変換手段１と、クロック発生手段２と、バースト位相検出手段３と、位相差算出手段４と、同期分離手段５と、タイミング信号発生手段６と、放送方式設定手段７と、サンプリング位相変換手段８と、ＹＣ分離手段９と、入力端子１００と、出力端子１０１および１０２とを備えている。【００１９】［クロック発生手段２］
クロック発生手段２は、所定の周波数Ｘのクロックを発生し、Ａ／Ｄ変換手段１、バースト位相検出手段３、位相差算出手段４、同期分離手段５、タイミング信号発生手段６、サンプリング位相変換手段８、およびＹＣ分離手段９に供給する。【００２０】  このクロック発生手段２で発生する周波数Ｘのクロックは、複数の放送方式に対して共通した単一周波数Ｘのフリーランクロックである。そして、その周波数Ｘは、放送方式が変わった場合でも、水平同期周波数の公倍数として求められ、共通して用いることが可能な周波数１３．５［ＭＨｚ］を基準とし、周波数１３．５［ＭＨｚ］の整数倍、例えば、Ｘ＝２７［ＭＨｚ］とする。【００２１】  Ａ／Ｄ変換手段１、バースト位相検出手段３、位相差算出手段４、サンプリング位相変換手段８、同期分離手段５、タイミング信号発生手段６、およびＹＣ分離手段９は、この周波数Ｘ＝２７［ＭＨｚ］の単一のクロックでそれぞれ動作する。【００２２】［Ａ／Ｄ変換手段１］
Ａ／Ｄ変換手段１は、クロック発生手段２からのサンプリングクロックに基づいて、入力端子１００からの入力映像信号であるアナログ信号のコンポジット信号（アナログコンポジット信号）をサンプリングし、デジタル信号に変換し、変換により得られたデジタル信号をバースト位相検出手段３、同期分離手段５、およびサンプリング位相変換手段８に出力する。【００２３】  入力端子１００には、ＮＴＳＣ，ＰＡＬ，ＳＥＣＡＭ方式などの複数の放送方式のコンポジット信号が入力される。【００２４】［同期分離手段５］
同期分離手段５は、Ａ／Ｄ変換手段１からのデジタル信号のコンポジット信号に含まれる垂直同期信号および水平同期信号を分離し、タイミング信号発生手段６に出力する。【００２５】［タイミング信号発生手段６］
タイミング信号発生手段６は、同期分離手段５からの同期信号に基づき、タイミング信号を発生し、位相差算出手段４およびサンプリング位相変換手段８に出力する。ここでは、水平同期信号に基づき、水平同期信号から所定位置にあるサンプリング点を示すタイミング信号、例えば水平ブランキング期間のバースト信号期間におけるサンプリング位置を示すタイミング信号ｈｂを発生する。【００２６】［放送方式設定手段７］
放送方式設定手段７は、例えばユーザ等の選択により、入力映像信号の放送方式を設定し、設定した放送方式に関する情報として、例えば、ＮＴＳＣ方式，ＰＡＬ方式，ＳＥＣＡＭ方式などの放送方式を示す識別信号や、それぞれの放送方式の色副搬送波周波数を示す信号を放送方式設定信号として、バースト位相検出手段３、位相差算出手段４、サンプリング位相変換手段８、およびＹＣ分離手段９に出力する。【００２７】  放送方式設定手段７からの放送方式設定信号が入力されないＡ／Ｄ変換手段１，クロック発生手段２，同期分離手段５，タイミング信号発生手段６の動作は、ＮＴＳＣ方式，ＰＡＬ方式，ＳＥＣＡＭ方式など、互いに異なる放送方式相互間において互いに同様である。【００２８】  なお、ここでは、ユーザ等の選択により放送方式を設定するとしたが、これは一例であり、入力されたコンポジット信号のバースト信号の色副搬送波周波数（ｆｓｃ）、垂直、水平同期信号の周期などから、自動的に放送方式を判別することも可能であり、この放送方式設定手段７を、自動方式判別を行うよう構成してもよい。【００２９】［バースト位相検出手段３］
バースト位相検出手段３は、Ａ／Ｄ変換手段１からのコンポジット信号のそれぞれのラインのバースト位相を検出して、そのラインの色副搬送波の位相情報ｐを位相差算出手段４に出力する。【００３０】  図２はバースト位相検出手段３の構成例を示すブロック図である。図２において、バースト位相検出手段３は、バースト信号抽出手段１１と、位相比較手段１２と、ループ・フィルタ１３と、ＮＣＯ（Ｎｕｍｅｒｉｃａｌｌｙ  Ｃｏｎｔｒｏｌｌｅｄ  Ｏｓｃｉｌｌａｔｏｒ、数値制御発振器）１４と、正弦波ＲＯＭ（Ｒｅａｄ  Ｏｎｌｙ  Ｍｅｍｏｒｙ）１５とを備えている。なお、ＮＣＯ１４は、デジタル発振器であり、アナログ信号処理で用いられるＶＣＯ（Ｖｏｌｔａｇｅ  Ｃｏｎｔｒｏｌｌｅｄ  Ｏｓｃｉｌｌａｔｏｒ）に相当する。【００３１】  バースト信号抽出手段１１は、Ａ／Ｄ変換手段１から入力されたコンポジット信号から、ブランキング期間に重畳されているバースト信号を抽出し、位相比較手段１２に出力する。また、位相比較手段１２は、バースト信号抽出手段１１で抽出されたバースト信号と正弦波ＲＯＭ１５からの色副搬送波周波数ｆｓｃの基準信号の位相とを比較し、その位相差に応じた信号（比較結果を示す信号）をループ・フィルタ１３に出力する。また、ループ・フィルタ１３は、位相比較手段１２の出力信号を平滑し、平滑された値（平滑された位相比較結果）をＮＣＯ１４に出力する。【００３２】  ＮＣＯ１４は、ループ・フィルタ１３からの、平滑された位相比較結果を時間的に積分して、バースト信号の位相情報ｐを生成し、位相差算出手段４に出力する。一方、正弦波ＲＯＭ１５において、位相情報ｐに基づいて、色副搬送波周波数ｆｓｃの基準信号を発生し、位相比較手段１２に出力する。【００３３】  このように、ＮＣＯ１４は、位相引き込みを行い、色副搬送波周波数ｆｓｃの基準信号を発生するための位相情報、つまりは入力コンポジット信号の現バースト信号における色副搬送波の位相情報を、現ラインでの色副搬送波の位相情報ｐとして連続して出力する。【００３４】［位相差算出手段４］
位相差算出手段４は、色副搬送波の位相情報ｐから、注目ラインとその上下ラインとのライン間の位相誤差を算出し、さらに、これに基づいて位相補正量Δｂ，Δｔを求め、サンプリング位相変換手段８に出力する。【００３５】  図３は位相差算出手段４の構成例を示すブロック図である。図３において、位相差算出手段４は、遅延手段２１，２２，２３，２４と、選択手段２５と、位相誤差算出手段２６と、位相補正量変換手段２７とを備えている。【００３６】  図３の位相差算出手段４において、バースト位相検出手段３からの位相情報ｐは、遅延手段２１と位相誤差算出手段２６に入力される。また、タイミング信号発生手段６からのタイミング信号ｈｂは、遅延手段２１〜２４に入力される。また、放送方式設定手段７からの放送方式設定信号は、選択手段２５と位相補正量変換手段２７に入力される。【００３７】  遅延手段２１は、タイミング信号ｈｂにより、位相情報ｐを１ライン分遅延し、遅延手段２２および選択手段２５に出力する。また、遅延手段２２は、タイミング信号ｈｂにより、遅延手段２１から入力された位相情報ｐを同様に１ライン分遅延し、遅延手段２３および選択手段２５に出力する。また、遅延手段２３は、タイミング信号ｈｂにより、遅延手段２２から入力された位相情報ｐを同様に１ライン分遅延し、遅延手段２４に出力する。また、遅延手段２４は、タイミング信号ｈｂにより、遅延手段２３から入力された位相情報ｐを同様に１ライン分遅延し、選択手段２５に出力する。【００３８】  ここで、上記のタイミング信号ｈｂは、水平同期信号に基づいたバースト信号期間の位置を示すタイミング信号（例えばバーストゲート信号）であり、このタイミング信号ｈｂを用いることで、バースト信号での位相情報ｐを１ライン分遅延することとなる。【００３９】  このように、遅延手段２２〜２４は、タイミング信号ｈｂにより、バースト位相検出手段３から入力された位相情報ｐを、１ライン分ずつ順次遅延する。【００４０】  選択手段２５は、放送方式設定手段７からの放送方式設定信号に基づき、遅延手段２１，２２，２４からの入力位相情報ｐ（１ライン遅延情報、２ライン遅延情報、４ライン遅延情報）の内から、放送方式に応じた２つの位相情報ｐを選択し、その２ライン分の位相情報ｐを位相誤差算出手段２６に出力する。【００４１】  選択手段２５による選択は、選択手段２５の出力とバースト位相検出手段３の出力（遅延手段２１の入力）の組み合わせが、注目ラインおよびその上下のラインの合計３ラインの位相情報ｐを構成するように行われ、選択された位相情報が位相誤差検出手段２６に入力されるが、これは、ＹＣ分離手段９において色副搬送波の位相が反転しているライン間の信号を用いて２次元ＹＣ分離を行うことを可能にするためである。【００４２】  位相誤差算出手段２６は、バースト位相検出手段３および選択手段２５からの３ライン分の位相情報ｐから、ライン間の補正すべき位相誤差δｂ，δｔを求め、位相補正量変換手段２７に出力する。【００４３】  位相補正量変換手段２７は、位相誤差算出手段２６からの位相誤差δｂ，δｔを、位相補正のための位相補正量Δｂ，Δｔに変換し、サンプリング位相変換手段８に出力する。【００４４��  この位相補正量変換手段２７での変換は、位相情報ｐが色副搬送波の１周期を２πとする角度を表す情報であることから、位相誤差算出手段２６からの位相誤差δｂ，δｔを、Ｘ＝２７［ＭＨｚ］のクロックでの１周期を基準とする、時間を表す値（Ｘのクロックの１周期の倍数で時間を表す）に変換するものである。つまり、色副搬送波周波数ｆｓｃから、色副搬送波位相の１クロックあたりの、角度で表された変化量ωを、ω＝２π×ｆｓｃ／Ｘとすると、位相誤差δｂ，δｔから変換された位相補正量Δｂ，Δｔは、Δｂ＝δｂ／ω，Δｔ＝δｔ／ωとなる。位相誤差δｂ，δｔの補正範囲を−πから＋πまでとするとき、位相補正量Δｂ，Δｔは、−Ｘ／（２×ｆｓｃ）からＸ／（２×ｆｓｃ）までの値をとり得る。【００４５】［サンプリング位相変換手段８］
サンプリング位相変換手段８は、Ａ／Ｄ変換手段１からのデジタル信号のコンポジット信号から、ＹＣ分離に用いるライン数分の信号として例えば３ライン分（注目ラインおよびその上下ライン）のコンポジット信号を得て、位相差算出手段４からの位相補正量Δｂ，Δｔによって、上下ラインのコンポジット信号の位相を補正し、注目ラインのコンポジット信号ＤＭおよび位相補正した上下ラインのコンポジット信号ＤＴ，ＤＢをＹＣ分離手段９に出力する。
このような処理によって、サンプリング位相変換手段８は、単一フリーランクロックでＡ／Ｄ変換した後のデジタル映像信号に対し、バースト信号の位相情報から得られる基準値との位相誤差に基づき、所定の位相関係となるようにサンプリング位相を補正する。【００４６】  図４はサンプリング位相変換手段８の構成例を示すブロック図である。図４において、サンプリング位相変換手段８は、１ライン遅延手段３０，３１，３２，３３と、遅延補償手段３４と、選択手段３５と、位相変換フィルタ３６と、遅延補償手段３７と、位相変換フィルタ３８とを備えている。【００４７】  図４のサンプリング位相変換手段８において、Ａ／Ｄ変換手段１からのコンポジット信号は、１ライン遅延手段３０と遅延補償手段３４に入力される。また、タイミング信号発生手段６からのタイミング信号ｈｂは、１ライン遅延手段３０〜３３に入力される。また、放送方式設定手段７からの放送方式設定信号は、選択手段３５に入力される。また、位相差算出手段４からの位相補正量Δｂは、位相変換フィルタ（第１の位相変換フィルタ）３６に入力され、位相差算出手段４からの位相補正量Δｔは、位相変換フィルタ（第２の位相変換フィルタ）３８に入力される。【００４８】  遅延補償手段３４は、Ａ／Ｄ変換手段１からの入力コンポジット信号に対し、選択手段３５の出力信号の選択手段３５においての遅延分を補償し、位相変換フィルタ３６に出力する。【００４９】  １ライン遅延手段３０は、水平同期信号に基づくタイミング信号ｈｂにより、入力されたコンポジット信号を１ライン分遅延し、１ライン遅延手段３１および選択手段３５に出力する。また、１ライン遅延手段３１は、タイミング信号ｈｂにより、１ライン遅延手段３０からのコンポジット信号をさらに１ライン遅延し、１ライン遅延手段３２および選択手段３５に出力する。また、１ライン遅延手段３２は、タイミング信号ｈｂにより、１ライン遅延手段３１からのコンポジット信号をさらに１ライン遅延し、１ライン遅延手段３３に出力する。また、１ライン遅延手段３３は、タイミング信号ｈｂにより、１ライン遅延手段３２からのコンポジット信号をさらに１ライン遅延し、選択手段３５に出力する。【００５０】  このように、１ライン遅延手段３０〜３３は、タイミング信号ｈｂにより、Ａ／Ｄ変換手段１から入力されたコンポジット信号を、１ライン分ずつ順次遅延する。【００５１】  選択手段３５は、放送方式設定手段７からの放送方式設定に基づき、１ライン遅延手段３０，３１，３３の出力信号の内から、放送方式に応じた２つの信号を選択し、その内の１つを遅延補償手段３７に出力し、他の１つを第２の位相変換フィルタ３８に出力する。【００５２】  遅延補償手段３７は、選択手段３５から入力されたコンポジット信号に対し、位相変換フィルタ３６，３８においての他のコンポジット信号の信号遅延分を補償し、コンポジット信号ＤＭとしてＹＣ分離手段９に出力する。【００５３】  位相変換フィルタ３６は、位相差算出手段４からの位相補正量Δｂに基づき、遅延補償手段３４からのコンポジット信号の位相を補正し、コンポジット信号ＤＢとしてＹＣ分離手段９に出力する。また、位相変換フィルタ３８は、位相差算出手段４��らの位相補正量Δｔに基づき、選択手段３５からのコンポジット信号の位相を補正し、コンポジット信号ＤＴとしてＹＣ分離手段９に出力する。【００５４】  位相補正量Δｂ，Δｔは、ｋラインの色副搬送波位相に対する上下ラインの信号での位相補正量であり、Ｘ＝２７［ＭＨｚ］のクロックでの１周期を基準とする値に変換されている。よって、上記上下ラインの信号に相当する位相変換フィルタ３６，３８の入力信号を、それぞれΔｂ，Δｔずつ遅延してサンプリングの位相を変換し、位相補正する。【００５５】  図５は位相変換フィルタ３６，３８の構成例を示すブロック図である。図５において、位相変換フィルタ３６，３８は、係数発生手段４０と、１クロック遅延手段４１ａ〜４１ｈと、増幅回路４２と、加算器４３と、１クロック遅延手段４４と、選択手段４５とを備えている。【００５６】  この図５の位相変換フィルタ３６，３８は、線形位相フィルタであるＦＩＲ（Ｆｉｎｉｔｅ  Ｉｍｐｕｌｓｅ  Ｒｅｓｐｏｎｓｅ）フィルタとして構成されており、位相補正量Δｎ（ΔｂまたはΔｔ）に対応する群遅延を持ち、コンポジット信号に１クロック周期未満の位相補正量に対応する遅延Δｎを与えて位相補正するフィルタである。また、図５の位相変換フィルタ３６，３８は、フィルタのタップ数を８としている。【００５７】  図５の位相変換フィルタ３６，３８において、係数発生手段４０は、位相差算出手段４から入力された位相補正量Δｎ（ΔｂまたはΔｔ）に基づき、位相補正量Δｎに対応する群遅延を持つＦＩＲフィルタのフィルタ係数ｇ０〜ｇ７を発生し、増幅回路４２に出力する。これは、例えば、ＲＯＭにより構成し、位相補正量Δｎの値をアドレスとしてフィルタ係数を発生すればよい。【００５８】  １クロック遅延手段４１ａ〜４１ｈは、遅延補償手段３４または選択手段３５から入力されたコンポジット信号をそれぞれ１クロック遅延する。１クロック遅延手段４１ａ〜４１ｈの出力は、増幅回路４２に入力され、１クロック遅延手段４１ｅの出力は、選択手段４５にも入力される。【００５９】  増幅回路４２は、係数発生手段４０からのフィルタ係数ｇ０〜ｇ７をそれぞれ利得とし、１クロック遅延手段４１ａ〜４１ｈの出力をそれぞれ入力とする８つの増幅器を有し、１クロック遅延手段４１ａ〜４１ｈから入力されたそれぞれのコンポジット信号とそれぞれのフィルタ係数ｇ０〜ｇ７とをそれぞれの増幅器で乗算し、加算器４３に出力する。【００６０】  加算器４３は、増幅回路４２からのそれぞれの出力値を加算し、１クロック遅延手段４４に出力する。また、１クロック遅延手段４４は、加算器４３の出力を１クロック遅延し、選択手段４５に出力する。【００６１】  選択手段４５は、位相差算出手段４からの位相補正量Δｎ（ΔｂまたはΔｔ）がゼロであれば（つまり、位相補正の必要がなければ）、遅延量を調整した１クロック遅延手段４１ｅの出力を選択し、位相補正量Δｎがゼロでなければ（つまり、位相補正の必要があれば）、１クロック遅延手段４４の出力を選択し、位相変換後のコンポジット信号（位相補正したコンポジット信号）ＤＢまたはＤＴとして、ＹＣ分離手段９に出力する。【００６２】［ＹＣ分離手段９］
ＹＣ分離手段９は、ラインくし形フィルタによる２次元ＹＣ分離手段であり、サンプリング位相変換手段８から入力された３ライン分のコンポジット信号ＤＢ，ＤＭ，ＤＴから、放送方式設定手段７により設定された放送方式の色副搬送波周波数ｆｓｃに応じて、２次元ＹＣ分離によりＣ信号を抽出してＹ信号とＣ信号を分離し、Ｃ信号を出力端子１０１に出力し、Ｙ信号を出力端子１０２に出力する。【００６３】  サンプリング位相変換回路８から入力されるコンポジット信号ＤＢ，ＤＭ，ＤＴは、コンポジット信号ＤＢとＤＭの色副搬送波の位相が反転関係になり、コンポジット信号ＤＭとＤＴの色副搬送波の位相が反転関係になるように、位相補正された信号である。従って、コンポジット信号ＤＢ，ＤＭ，ＤＴの３ライン上のサンプリングデータは、ＹＣ分離手段９で用いる色副搬送波の位相関係となるようなサンプリング点に合わせられている。【００６４】  図６は２次元ＹＣ分離によるＹＣ分離手段９の構成例を示すブロック図である。図６において、ＹＣ分離手段９は、垂直方向色信号抽出フィルタ５０と、水平方向色信号抽出フィルタ５１と、水平垂直方向色信号抽出フィルタ５２と、相関判定手段５３と、選択手段５４と、減算器５５とを備えている。【００６５】  図６のＹＣ分離手段９において、サンプリング位相変換手段８からの３ライン分のコンポジット信号ＤＴ，ＤＭ，ＤＢは、垂直方向色信号抽出フィルタ５０、水平垂直方向色信号抽出フィルタ５２、および相関判定手段５３に入力される。また、コンポジット信号ＤＭは、水平方向色信号抽出フィルタ５１および減算器５５にも入力される。また、放送方式設定手段７からの放送方式設定信号は、水平方向色信号抽出フィルタ５１と水平垂直方向色信号抽出フィルタ５２に入力される。【００６６】  垂直方向色信号抽出フィルタ５０は、入力された３ライン分のコンポジット信号ＤＴ，ＤＭ，ＤＢから、垂直方向に画像の相関があることを前提にして色信号を抽出し、選択手段５４に出力する。また、水平方向色信号抽出フィルタ５１は、入力されたコンポジット信号ＤＭから、水平方向に画像の相関があることを前提にして色信号を抽出し、選択手段５４に出力する。また、水平垂直方向色信号抽出フィルタ５２は、入力された３ライン分のコンポジット信号ＤＴ，ＤＭ，ＤＢから、水平方向および垂直方向に画像の相関があることを前提にして色信号を抽出し、選択手段５４に出力する。【００６７】  なお、水平方向色信号抽出フィルタ５１と水平垂直方向色信号抽出フィルタ５２では、放送方式設定手段７からの放送方式設定信号に基づき、設定されている放送方式の色副搬送波周波数ｆｓｃに対応した抽出フィルタを用いる。【００６８】  相関判定手段５３は、入力された３ライン分のコンポジット信号ＤＴ，ＤＭ，ＤＢから、コンポジット信号ＤＭのサンプリング点に関する垂直方向および水平方向の画像の相関を検出し、この相関検出結果を選択手段５４に出力する。【００６９】  選択手段５４は、相関判定手段５３からの相関検出結果に基づき、垂直方向色信号抽出フィルタ５０の出力信号、水平方向色信号抽出フィルタ５１の出力信号、水平垂直方向色信号抽出フィルタ５２の出力信号のいずれかを、画像の相関の強さに���じて選択し、コンポジット信号から分離したＣ信号（色信号）として、出力端子１０２（図１参照）および減算器５５に出力する。例えば、水平方向に相関が弱い場合は、垂直方向色信号抽出フィルタ５０の出力信号が選択され、垂直方向に相関が弱い場合は、水平方向色信号抽出フィルタ５１の出力信号が選択され、その他の場合は、水平垂直方向色信号抽出フィルタ５２からのＣ信号出力を選択する。【００７０】  減算器５５は、入力されたコンポジット信号ＤＭから、選択手段５４からのＣ信号を減算して、Ｙ信号（輝度信号）を分離し、出力端子１０１（図１参照）に出力する。【００７１】［ＮＴＳＣ方式のコンポジット信号が入力されたときの動作］
入力端子１００に入力される映像信号がＮＴＳＣ方式のコンポジット信号の場合について以下に説明する。放送方式設定手段７によりＮＴＳＣ方式が設定されているので、バースト位相検出手段３では、ＮＴＳＣ方式の色副搬送波周波数ｆｓｃ（ＮＴＳＣ）の信号の位相情報ｐがＮＣＯ１４から出力され、正弦波ＲＯＭ１５から位相比較手段１２に、ＮＴＳＣ方式での色副搬送波周波数ｆｓｃ（ＮＴＳＣ）の基準信号が出力される。【００７２】  ＮＴＳＣ方式のコンポジット信号の場合には、ラインごとに色副搬送波位相が１８０°（＝π）反転するので、注目ラインをｋラインとするとき、ｋラインの色副搬送波の位相とその上下に位置するｋ−１ラインおよびｋ＋１ラインの色副搬送波の位相とは互いに反転している。また、ＹＣ分離手段９では、ライン間で色副搬送波の位相が反転していることを考慮して２次元ＹＣ分離によりＣ信号とＹ信号を分離する。【００７３】  このため、位相差算出手段４では、選択手段２５において、画面上でｋラインの１ライン上に位置するｋ−１ラインの色副搬送波位相情報ｐ（ｋ−１）と、画面上でｋラインの１ライン下に位置するｋ＋１ラインの色副搬送波位相情報ｐ（ｋ＋１）とが選択され、これらの位相情報ｐ（ｋ−１），ｐ（ｋ＋１）が、ｋラインの色副搬送波位相情報ｐ（ｋ）とともに、３ライン分の色副搬送波位相情報として位相誤差算出手段２６に入力される。【００７４】  つまり、ｋ＋１ラインの位相情報に相当するバースト位相検出手段３からの位相情報ｐ（ｋ＋１）と、ｋラインの位相情報に相当する遅延手段２１からの１ライン遅延位相情報ｐ（ｋ）と、ｋ−１ラインの位相情報に相当する遅延手段２２からの２ライン遅延位相情報ｐ（ｋ−１）とが、位相誤差算出手段２６に入力される。【００７５】  位相差算出手段４の位相誤差算出手段２６では、ライン間での位相πの反転分を考慮して、ｋラインの信号に対してその１ライン下のｋ＋１ラインの信号で補正すべき位相誤差δｂを、δｂ＝ｐ（ｋ＋１）−ｐ（ｋ）−πによって算出し、ｋラインの位相情報ｐ（ｋ）に対してその１ライン上のｋ−１ラインの信号で補正すべき位相誤差δｔを、δｔ＝ｐ（ｋ−１）−ｐ（ｋ）＋πによって算出する。ここでは、−πおよび＋πはそれぞれ固定の位相値であり、−ｐ（ｋ）−πおよび−ｐ（ｋ）＋πはｋ＋１，ｋ−１ラインでの注目ラインｋに対する基準位相に相当し、ｋ＋１，ｋ−１ラインの位相情報ｐ（ｋ＋１），ｐ（ｋ−１）と注目ラインｋに対する基準位相との位相差を、それぞれ位相誤差δｂ，δｔとして求めている。【００７６】  ライン間での位相が１８０°反転して入力されるＮＴＳＣ方式の標準信号であれば、位相誤差δｂ，δｔはそれぞれゼロであり、非標準信号の場合は、位相のずれ分に相当する値がこれら位相誤差δｂ，δｔとして求められる。【００７７】  位相差算出手段４の位相補正量変換手段２７では、ＮＴＳＣ方式の色副搬送波周波数ｆｓｃ（ＮＴＳＣ）により、ＮＴＳＣ方式の色副搬送波位相の１クロックあたりの変化量ω（ＮＴＳＣ）＝２π×ｆｓｃ（ＮＴＳＣ）／Ｘが得られ、Δｂ＝δｂ／ω（ＮＴＳＣ），Δｔ＝δｔ／ω（ＮＴＳＣ）により、位相誤差δｂ，δｔが位相補正量Δｂ，Δｔに変換される。【００７８】  サンプリング位相変���手段８では、遅延補償手段３４において遅延補償されて位相変換フィルタ３６に入力されるコンポジット信号を、ｋ＋１ライン（画面上において注目ラインであるｋラインの１ライン下）の信号とすると、選択手段３５において、１ライン遅延手段３０から入力されるｋラインのコンポジット信号と、１ライン遅延手段３１から入力されるｋ−１ライン（画面上においてｋラインの１ライン上）のコンポジット信号とが選択され、ｋラインのコンポジット信号は遅延補償手段３７に入力され、ｋ−１ラインのコンポジット信号は位相変換フィルタ３８に入力される。【００７９】  そして、図５のような構成の位相変換フィルタ３６，３８により、位相補正量Δｂ，Δｔに基づき、ｋ＋１，ｋ−１ラインのコンポジット信号の位相が補正され、位相変換フィルタ３８で位相補正されたｋ−１ラインのコンポジット信号ＤＴと、遅延補償手段３７で遅延補償されたｋラインのコンポジット信号ＤＭと、位相変換フィルタ３６で位相補正されたｋ＋１ラインのコンポジット信号ＤＢの３ライン分のコンポジット信号が、ＹＣ分離手段９に出力される。【００８０】  図７はＮＴＳＣ方式においての位相変換フィルタ３６，３８でのサンプリング位相の補正例を示した図である。図７において、破線で示すｋ＋１ラインおよびｋ−１ラインのフィルタ入力時のコンポジット信号に対し、位相変換フィルタ３６，３８において、位相誤差δｂ，δｔから変換された位相補正量Δｂ，Δｔ分の補正がなされ、サンプリング位相変換後には、ｋ＋１ラインおよびｋ−１ラインのコンポジット信号は、実線で示す位相の信号に補正される。【００８１】  図７に示すように、ｋ−１ラインのコンポジット信号ＤＴおよびｋ＋１ラインのコンポジット信号ＤＢのサンプリングデータは、ｋラインのコンポジット信号ＤＭのサンプリングデータに対し、位相が１８０°（＝π）反転したものとなるように補正されたデータである。【００８２】  ＮＴＳＣ方式の非標準信号の場合においても、ライン間の位相補正量Δｂ，Δｔによって、ｋ＋１，ｋ−１ラインのコンポジット信号ＤＢ，ＤＴの位相が補正されるので、ｋ−１，ｋ，ｋ＋１の３ラインのコンポジット信号ＤＴ，ＤＭ，ＤＢのサンプリングデータは、ライン間の位相が反転したサンプリングデータに補正されてサンプリング位相変換手段８から出力される。【００８３】  図８（ａ）乃至（ｃ）は、上記したサンプリング位相の変換の動作をより詳細に示す。図８（ａ）は、クロック発生手段２から発生されるＸ＝２７［ＭＨｚ］のクロックを示し、図８（ｂ）は、図７のｋ−１ラインの入力信号（図７の破線）を示し、図８（ｃ）は、図７のｋ−１ラインの、サンプリング位相変換後の信号（図７の実線）を示す。【００８４】  サンプリング位相変換手段８の役割は、Ａ／Ｄ変換手段１に入力されるアナログ信号の位相を補正（アナログ信号を移相）した上で、Ａ／Ｄ変換した場合に得られるのと原理的に同様のデジタル信号を出力することにある。ただし、アナログ信号の移相を行う場合には、位相誤差の抽出、アナログ移相回路における制御の必要性、素子のばらつきなどの問題がある。本実施の形態では、アナログ信号をＡ／Ｄ変換前に移相する代わりに、単一フリーランクロックでＡ／Ｄ��換した後のデジタル映像信号に対し、バースト信号の位相情報から得られる基準値との位相誤差に基づき、所定の位相関係となるようにサンプリング位相を補正している。【００８５】  Ａ／Ｄ変換手段１における、実際のサンプリングは、図８のクロックパルスの立ち上がりで、図８（ｂ）に示される入力信号（図７の破線）に対して行われ、図８（ｂ）に白丸で示されるサンプル値が得られる。
図７の実線で示される、補正された位相を持つ信号の値（図８（ｃ）の黒丸）を得るには、入力信号（破線）上のサンプル値を時間的にずらすだけでは足りず、大きさを変える必要がある。これを行うのが、図５の位相変換フィルタ５であり、図７の破線上のサンプル値（図８（ｂ）の白丸）を合成して、図７の実線上の値（図８（ｃ）の黒丸）を作り出している。【００８６】  ＹＣ分離手段９では、ｋ＋１，ｋ，ｋ−１ラインのコンポジット信号ＤＢ，ＤＭ，ＤＴから、ＮＴＳＣ方式の色副搬送波周波数ｆｓｃ（ＮＴＳＣ）に応じて、Ｃ信号が抽出され、Ｙ信号とＣ信号が分離される。【００８７】［ＰＡＬ方式のコンポジット信号が入力されたときの動作］
入力端子１００に入力される映像信号がＰＡＬ方式のコンポジット信号の場合について以下に説明する。放送方式設定手段７によりＰＡＬ方式が設定されているので、バースト位相検出手段３では、正弦波ＲＯＭ１５から位相比較手段１２にＰＡＬ方式での色副搬送波周波数ｆｓｃ（ＰＡＬ）の基準信号が出力され、ＰＡＬ方式の色副搬送波周波数ｆｓｃ（ＰＡＬ）の信号の位相情報ｐがＮＣＯ１４から出力される。【００８８】  ＰＡＬ方式のコンポジット信号の場合には、ラインごとに色副搬送波位相が２７０°（つまりは−９０°）変化し、２ライン離れたライン間において、位相が１８０°（＝π）反転するので、注目ラインをｋラインとするとき、ｋラインの色副搬送波の位相とその２ライン上下に位置するｋ−２ラインおよびｋ＋２ラインの色副搬送波の位相とは互いに反転している。また、ＰＡＬ方式では、Ｒ−Ｙ信号の色副搬送波位相が、ラインごとに１８０°反転する。【００８９】  そこで、ＰＡＬ方式では、ＮＴＳＣ方式において１ライン遅延する処理を、２ライン遅延する処理とすれば、遅延手段からの出力によるライン間の色副搬送波位相が１８０°反転となり、Ｒ−Ｙ信号の色副搬送波位相は同じ符号になる。【００９０】  このため、位相差算出手段４では、選択手段２５において、画面上でｋラインの２ライン上に位置するｋ−２ラインの色副搬送波位相情報ｐ（ｋ−２）と、画面上でｋラインの２ライン下に位置するｋ−２ラインの色副搬送波位相情報ｐ（ｋ＋２）とが選択され、これらの位相情報ｐ（ｋ−２），ｐ（ｋ＋２）が、ｋラインの色副搬送波位相情報ｐ（ｋ）とともに、３ライン分の色副搬送波位相情報として位相誤差算出手段２６に入力される。【００９１】  つまり、ｋ＋２ラインの位相情報に相当するバースト位相検出手段３からの位相情報ｐ（ｋ＋２）と、ｋラインの位相情報に相当する遅延手段２２からの１ライン遅延位相情報ｐ（ｋ）と、ｋ−２ラインの位相情報に相当する遅延手段２４からの２ライン遅延位相情報ｐ（ｋ−２）とが、位相誤差算出手段２６に入力される。【００９２】  位相差算出手段４の位相誤差算出手段２６では、２ラインごとの位相πの反転分を考慮して、ｋラインの位相情報ｐ（ｋ）に対してその２ライン下のｋ＋２ラインの信号で補正すべき位相誤差δｂを、δｂ＝ｐ（ｋ＋２）−ｐ（ｋ）−πによって算出し、ｋラインの位相情報ｐ（ｋ）に対してその２ライン上のｋ−２ラインの信号で補正すべき位相誤差δｔを、δｔ＝ｐ（ｋ−２）−ｐ（ｋ）＋πによって算出する。ここでは、−πおよび＋πはそれぞれ固定の位相値であり、−ｐ（ｋ）−πおよび−ｐ（ｋ）＋πはｋ＋２，ｋ−２ラインでの注目ラインｋに対する基準位相に相当し、ｋ＋２，ｋ−２ラインの位相情報ｐ（ｋ＋２），ｐ（ｋ−２）と注目ラインｋに対する基準位相との位相差を、それぞれ位相誤差δｂ，δｔとして求めている。【００９３】  ２ラインごとの位相が１８０°反転して入力されるＰＡＬ方式の標準信号であれば、位相誤差δｂ，δｔはそれぞれゼロであり、非標準信号の場合は、位相のずれ分に相当する値がこれら位相誤差δｂ，δｔとして求められる。【００９４】  位相差算出手段４の位相補正量変換手段２７では、ＰＡＬ方式の色副搬送波周波数ｆｓｃ（ＰＡＬ）���より、ＰＡＬ方式の色副搬送波位相の１クロックあたりの変化量ω（ＰＡＬ）＝２π×ｆｓｃ（ＰＡＬ）／Ｘが得られ、Δｂ＝δｂ／ω（ＰＡＬ），Δｔ＝δｔ／ω（ＰＡＬ）により、位相誤差δｂ，δｔは位相補正量Δｂ，Δｔが変換される。【００９５】  サンプリング位相変換手段８では、遅延補償手段３４において遅延補償されて位相変換フィルタ３６に入力されるコンポジット信号を、ｋ＋２ライン（画面上において注目ラインであるｋラインの２ライン下）の信号とすると、選択手段３５において、１ライン遅延手段３１から入力されるｋラインのコンポジット信号と、１ライン遅延手段３３から入力されるｋ−２ライン（画面上においてｋラインの２ライン上）のコンポジット信号とが選択され、ｋラインのコンポジット信号は遅延補償手段３７に入力され、ｋ＋２ラインのコンポジット信号は位相変換フィルタ３８に入力される。【００９６】  そして、図５のような構成の位相変換フィルタ３６，３８により、位相補正量Δｂ，Δｔに基づき、ｋ＋２，ｋ−２ラインのコンポジット信号の位相が補正され、位相変換フィルタ３８で位相補正されたｋ−２ラインのコンポジット信号ＤＴと、遅延補償手段３７で遅延補償されたｋラインのコンポジット信号ＤＭと、位相変換フィルタ３６で位相補正されたｋ＋２ラインのコンポジット信号ＤＢの３ライン分のコンポジット信号が、ＹＣ分離手段９に出力される。【００９７】  ｋ−２ラインのコンポジット信号ＤＴおよびｋ＋２ラインのコンポジット信号ＤＢのサンプリングデータは、ｋラインのコンポジット信号ＤＭのサンプリングデータに対し、位相が１８０°（＝π）反転したものとなるように補正されたデータである。【００９８】  ＰＡＬ方式の非標準信号の場合においても、ライン間の位相補正量Δｂ，Δｔによって、ｋ＋２，ｋ−２ラインのコンポジット信号の位相が補正されるので、ｋ−２，ｋ，ｋ＋２の３ラインのコンポジット信号ＤＴ，ＤＭ，ＤＢのサンプリングデータは、ライン間の位相が反転したサンプリングデータに補正されてサンプリング位相変換手段８から出力される。【００９９】  ＹＣ分離手段９では、ｋ＋２，ｋ，ｋ−２ラインのコンポジット信号ＤＢ，ＤＭ，ＤＴから、ＰＡＬ方式の色副搬送波周波数ｆｓｃ（ＰＡＬ）に応じて、Ｃ信号が抽出され、Ｙ信号とＣ信号が分離される。【０１００】  このように、位相差算出手段４は、ＮＴＳＣ方式では、注目ラインとその１ライン上または下に位置するラインの計３ラインの信号に対し、色副搬送波の位相情報ｐからライン間での位相誤差を算出して位相補正量Δｂ，Δｔを出力し、ＰＡＬ方式では、注目ラインと２ライン上または下に位置するラインの計３ラインの信号に対し、色副搬送波の位相情報ｐからライン間での位相誤差を算出して位相補正量Δｂ，Δｔを出力する。【０１０１】  また、サンプリング位相変換手段８は、位相補正量Δｂ，Δｔにより、ＮＴＳＣ方式では、ｋラインの１ライン上および１ライン下に位置するｋ−１，ｋ＋１ラインのコンポジット信号の位相を補正して、ｋ−１，ｋ，ｋ＋１ラインのコンポジット信号を３ライン分のコンポジット信号ＤＴ，ＤＭ，ＤＢとして出力し、ＰＡＬ方式では、ｋラインの２ライン上および２ライン下に位置するｋ−２，ｋ＋２ラインのコンポジット信号の位相を補正して、ｋ−２，ｋ，ｋ＋２ラインのコンポジット信号を３ライン分のコンポジット信号ＤＴ，ＤＭ，ＤＢとして出力する。【０１０２】  なお、上記位相誤差δｂ，δｔの算出においては、ライン間での位相πの反転分を考慮して、値πを加算または減算して求めているが、位相πの考慮は、値πに限らず、それぞれの放送方式においてのライン間での位相関係を考慮し、ライン間の色副搬送波の位相差が１８０°の反転となるように、オフセット分を考慮した位相誤差となればよい。【０１０３】  その他の放送方式、例えば、ＰＡＬ−Ｎ方式，ＰＡＬ−Ｍ方式，ＮＴＳＣ−４．４３方式などの場合にも、ラインごとの色副搬送波の位相が１８０°反転することを考慮したＹＣ分離を行えるように、位相差算出手段４内の位相誤差算出手段２６において、ライン間での位相情報から補正すべき位相誤差を求めれば、サンプリング位相変換手段８による位相の補正が行え、それぞれの放送方式にも容易に対応することができる。なお、ＰＡＬ方式と同様、Ｒ−Ｙ信号の色副搬送波位相がラインごとに反転する場合は、ＮＴＳＣ方式において１ライン遅延する処理を、２ライン分遅延する処理として用いることとなる。【０１０４】  つまり、色副搬送波の位相が反転関係とならない放送方式や非標準信号に対しても、位相差算出手段４内の位相誤差算出手段２６において、上記ＮＴＳＣ方式やＰＡＬ方式の場合と同様の算出により、ライン間の色副搬送波の位相差が１８０°の反転となるようにオフセット分を考慮した値を位相誤差として求めることができる。【０１０５】  例えば、ＮＴＳＣ方式と同様、Ｒ−Ｙ信号の色副搬送波位相の反転などがなく、ラインごとに色副搬送波位相がｐｈ変化する場合は、相関がとりやすいｋラインの位相情報ｐ（ｋ）とｋ＋１ラインの位相情報ｐ（ｋ＋１）から位相誤差を求める。そして、１ライン下のｋ＋１ラインの信号での位相ｐ（ｋ−１）＝ｐ（ｋ）−ｐｈのとき、ｐｈの値がどのような場合であっても、ライン間の色副搬送波の位相差が１８０°の反転となるように、ｋ＋１ラインの信号での補正すべき位相誤差δｂを、δｂ＝ｐ（ｋ＋１）−ｐ（ｋ）−πとして算出する。このときの補正すべき位相誤差δｂの算出は、上記ＮＴＳＣ方式の場合と同様である。なお、ＰＡＬ方式のように、Ｒ−Ｙ信号の色副搬送波位相がラインごとに反転する場合には、上記の位相誤差は、ｋラインに対するｋ＋２ラインでの位相誤差を同様の算出により求めることとなる。【０１０６】  標準信号であれば、位相誤差δｂはｐｈ−πであり、非標準信号の場合は、位相のずれ分に相当する値がこの位相誤差δｂとして求められ、位相誤差算出から、ＶＴＲなどの再生による非標準のコンポジット信号時、位相の崩れによる位相ずれを補正量として得られ、各放送方式の非標準信号に対しても対応することができる。【０１０７】  また、入力信号がＳＥＣＡＭ方式である場合には、ＮＴＳＣ方式，ＰＡＬ方式と異なる処理が必要であり、一般には２次元ＹＣ分離は行わないが、色副搬送波のラインごとの位相関係を考慮すれば、上記のサンプリング位相変換を行うことで、ＹＣ分離を行うことができる。【０１０８】  以上のように実施の形態１によれば、複数の放送方式、非標準信号に対し、位相差算出手段４において、コンポジット信号における色副搬送波の位相情報から、ライン間の位相誤差を算出し、ライン間の色副搬送波の位相差が、１８０°の反転となるための位相補正量を得て、コンポジット信号のサンプリング位相をサンプリング位相変換により補正した後、ＹＣ分離を行うので、ライン間での位相関係や非標準信号であるかによらず、良好な２次元ＹＣ分離を行い、ＹＣ分離後の画質劣化を防ぐことができる。また、現ラインの信号が無変換であり、上下ラインの信号の位相を補正しているので、位相の補正による画質への影響が少なくなる。【０１０９】  なお、上記実施の形態１の位相変換フィルタ３６，３８は、図５に示すような位相差算出手段４からの位相補正量Δｎに対応する群遅延を持つ線形位相フィルタにより構成したものに限らず、例えば図９または図１０に示す構成とすることも可能である。図９または図１０のような構成の位相変換フィルタによっても、位相補正を行うことができ、上記実施の形態１と同様、ライン間での位相関係や非標準信号であるかによらず、良好な２次元ＹＣ分離を行い、ＹＣ分離後の画質劣化を防ぐことができる。【０１１０】  図９の位相変換フィルタ３６，３８は、所定の遅延を行う遅延手段を複数内蔵し、位相補正量Δｎに対応する遅延を行う遅延手段からの出力を選択するフィルタであって、位相変換フィルタ３６，３８は、補正量遅延手段４６−１，４６−２，…４６−Ｎと、選択手段４７とを備えている。補正量遅延手段４６−１〜４６−Ｎは、位相補正量Δｎの範囲内でそれぞれ異なる遅延量を持ち、入力コンポジット信号をそれぞれ所定量遅延して、選択手段４７に出力する。また、選択手段４７は、補正量遅延手段４６−１〜４６−Ｎの出力から、位相補正量Δｎに対応した遅延を持つ信号を選択する。【０１１１】  図１０の位相変換フィルタ３６，３８は、位相補正量Δｎ分のずれ位置に相当するサンプリングデータの値を、補間演算によって求めるフィルタであって、係数発生手段４８と、補間フィルタ４９とを備えている。係数発生手段４８は、位相補正量Δｎに対応する位置のサンプリングデータを求めるための補間フィルタ係数ｈｉを発生する。また、補間フィルタ４９は、係数発生手段４８からのフィルタ係数ｈｉにより、補間演算をして、位相補正量Δｎ分のずれ位置に相当するサンプリングデータの値を求め、出力する。補間フィルタ４９からは、位相補正量Δｎ分位相が補正されたコンポジット信号が出力されることとなる。【０１１２】  また、上記実施の形態１のクロック発生手段２で発生するクロックは、周波数Ｘ＝２７［ＭＨｚ］のクロックとしたが、これに限るものではなく、クロック周波数、種類によらず、同様の効果を奏する。例えば、コンポジット信号におけるバースト信号を基準としたクロックであるバーストロッククロックや、コンポジット信号中の水平同期信号を基準としたクロックであるラインロッククロックがあるが、これらのクロックを上記実施の形態１のクロック発生手段２で発生して用いても、サンプリング位相変換により位相を補正し、ＹＣ分離することができ、上記と同様の効果を奏する。【０１１３】  また、上記実施の形態１のＹＣ分離手段９は、ラインくし形フィ��タによる２次元ＹＣ分離手段として、３ラインの信号を処理するよう説明したが、１ライン遅延した信号と現ラインの信号との２ラインの信号をくし形フィルタで処理する場合についても、ライン間での色副搬送波位相の関係に基づき、コンポジット信号のサンプリング位相変換を行い、ライン間の色副搬送波の位相関係を所定の関係となるように位相補正すれば、上記実施の形態１と同様の効果を奏する。【０１１４】  また、上記実施の形態１のバースト位相検出手段３では、Ａ／Ｄ変換１からのコンポジット信号からバースト位相を検出しているが、これに限らず、各ライン上のコンポジット信号の色副搬送波位相を検出できれば、フィードバックループでバースト信号を抽出してもよく、上記実施の形態１と同様の効果を奏する。【０１１５】  また、上記実施の形態１のタイミング信号発生手段６では、水平ブランキング期間のバースト信号期間における位置を示すタイミング信号ｈｂを発生するが、タイミング信号は任意の位置で発生してもよく、タイミング信号が示す各位置における色副搬送波の位相を検出することができれば、同様の効果を奏する。【０１１６】  さらに、本実施の形態１では、ハードウェア構成するよう説明しているが、ハードウェア構成に限らず、プログラム制御でのソフトウェアの処理により実現する構成してもよい。【０１１７】実施の形態２．
上記実施の形態１では、ライン間での位相πの反転分を考慮して、ライン間での位相誤差を求めたが、以下に説明する実施の形態２では、所定ラインでの位相情報を固定の位相値と比較して補正量を求める。【０１１８】  図１１は本発明の実施の形態２の映像信号処理回路の構成例を示すブロック図であり、図１と同様のものには同じ符号を付してある。図１１において、実施の形態２の映像信号処理回路は、Ａ／Ｄ変換手段１と、クロック発生手段２と、バースト位相検出手段３と、位相差算出手段６０と、同期分離手段５と、タイミング信号発生手段６ａと、放送方式設定手段７と、サンプリング位相変換手段６１と、ＹＣ分離手段９と、入力端子１００と、出力端子１０１および１０２とを備えている。【０１１９】  このように、実施の形態２の映像信号処理回路は、上記実施の形態１の映像信号処理回路（図１参照）において、位相差算出手段４を位相差算出手段６０に変更し、タイミング信号発生手段６をタイミング信号発生手段６ａに変更し、サンプリング位相変換手段８をサンプリング位相変換手段６１に変更したものである。これらタイミング信号発生手段６ａ、位相差算出手段６０、サンプリング位相変換手段６１を除く他の部分の構成および動作は、上記実施の形態１と同様である。【０１２０】［タイミング信号発生手段６ａ］
タイミング信号発生手段６ａは、同期分離手段５からの同期信号に基づき、タイミング信号を発生し、位相差算出手段６０およびサンプリング位相変換手段６１に出力する。ここでは、水平同期信号に基づき、水平ブランキング期間のバースト信号期間におけるサンプリング位置を示すタイミング信号ｈｂと、例えばフレーム単位のライン番号（ＮＴＳＣ方式の場合０〜５２４，ＰＡＬ方式の場合０〜６２４）など、入力コンポジット信号においてのライン番号（ライン位置）を示すタイミング信号ｈ１とを発生する。【０１２１】［位相差算出手段６０］
位相差算出手段６０は、バースト位相検出手段３内のＮＣＯ１４（図２参照）から入力された色副搬送波の位相情報ｐから、注目ラインおよびその上下ラインそれぞれについて基準位相（ライン位置に応じてあらかじめ決められた固定の位相値）からの位相誤差を算出し、位相補正量Δ０ｍ，Δ０ｂ，Δ０ｔをサンプリング位相変換手段６１に出力する。【０１２２】  図１２は位相差算出手段６０の構成例を示すブロック図であり、図３の位相差算出手段４と同様のものには同じ符号を付してある。図１２において、位相差算出手段６０は、遅延手段２１，２２，２３，２４と、選択手段２５と、位相誤差算出手段６２と、位相補正量変換手段６３とを備えている。【０１２３】  このように、実施の形態２の位相差算出手段６０は、上記実施の形態１の位相差算出手段４（図３参照）において、位相誤差算出手段２６を位相誤差算出手段６２に変更し、位相補正量変換手段２７を位相補正量変換手段６３に変更したものである。これら位相誤差算出手段６２および位相補正量変換手段６３を除く他の部分の構成および動作は、上記実施の形態１の位相差算出手段４と同様である。【０１２４】  図１２の位相差算出手段６０において、位相誤差算出手段６２には、バースト位相検出手段３からの位相情報ｐおよび選択手段２５からの２つの位相情報ｐの他に、タイミング信号発生手段６ａからのタイミング信号ｈ１および放送方式設定手段７からの放送方式設定信号が入力される。【０１２５】  位相誤差算出手段６２は、バースト位相検出手段３および選択手段２５からの３ライン分の位相情報ｐから、入力ライン信号の位相と放送方式の設定および入力信号のライン番号を示すタイミング信号ｈ１に基づいた固定の基準位相との位相差を、補正すべき位相誤差δ０ｍ，δ０ｂ，δ０ｔとして求め、位相補正量変換手段６３に出力する。【０１２６】  位相補正量変換手段６３は、位相誤差算出手段６２からの位相誤差δ０ｍ，δ０ｂ，δ０ｔを、位相補正のための位相補正量Δ０ｍ，Δ０ｂ，Δ０ｔに変換し、サンプリング位相変換手段６１に出力する。【０１２７】  この位相補正量変換手段６３での変換は、位相情報ｐが色副搬送波の１周期を２πとする角度を表す情報であることから、位相誤差算出手段６２からの位相誤差δ０ｍ，δ０ｂ，δ０ｔを、Ｘ＝２７［ＭＨｚ］のクロックでの１周期を基準とする、時間を表す値（Ｘのクロックの１周期の倍数で時間を表す）に変換するものである。つまり、色副搬送波周波数ｆｓｃから、色副搬送波位相の１クロックあたりの、角度で表された変化量ωを、ω＝２π×ｆｓｃ／Ｘとすると、位相誤差δ０ｍ，δ０ｂ，δ０ｔから変換された位相補正量Δ０ｍ，Δ０ｂ，Δ０ｔは、Δ０ｍ＝δｍ／ω，Δ０ｂ＝δｂ／ω，Δ０ｔ＝δｔ／ωとなる。位相誤差δ０ｍ，δ０ｂ，δ０ｔの補正範囲を−πから＋πまでとするとき、位相補正量Δ０ｍ，Δ０ｂ，Δ０ｔは、−Ｘ／（２×ｆｓｃ）からＸ／（２×ｆｓｃ）までの値をとり得る。【０１２８】［サンプリング位相変換手段６１］
サンプリング位相変換手段６１は、Ａ／Ｄ変換手段１からのデジタル信号のコンポジット信号から、ＹＣ分離に用いるライン数分の信号として例えば３ライン分（注目ラインおよびその上下ライン）のコンポジット信号を得て、位相差算出手段６０からの位相補正量Δ０ｂ，Δ０ｍ，Δ０ｔによって、上記３ラインのコンポジット信号の位相を補正し、位相補正した３ラインのコンポジット信号ＤＴ，ＤＭ，ＤＢをＹＣ分離手段９に出力する。【０１２９】  図１３はサンプリング位相変換手段６１の構成例を示すブロック図であり、図４のサンプリング位相変換手段８と同様のものには同じ符号を付してある。図１３において、サンプリング位相変換手段６１は、１ライン遅延手段３０，３１，３２，３３と、遅延補償手段３４と、選択手段３５と、位相変換フィルタ６４，６５，６６とを備えている。【０１３０】  このように、実施の形態２のサンプリング位相変換手段６１は、上記実施の形態１のサンプリング位相変換手段８（図４参照）において、位相変換フィルタ３６を位相変換フィルタ６４に変更し、遅延補償手段３７を位相変換フィルタ６５に変更し、位相変換フィルタ３８を位相変換フィルタ６６に変更したものである。これら位相変換フィルタ６４〜６６を除く他の部分の構成および動作は、上記実施の形態１のサンプリング位相変換手段８と同様である。また、位相変換フィルタ６４〜６６の構成および動作は、例えば上記実施の形態１の位相変換フィルタ３６，３８（図５，図９，図１０参照）と同様である。【０１３１】  図１３のサンプリング位相変換手段６１において、位相差算出手段６０からの位相補正量Δ０ｂは、位相変換フィルタ６４に入力され、位相差算出手段６０からの位相補正量Δ０ｍは、位相変換フィルタ６５に入力され、位相差算出手段６０からの位相補正量Δ０ｔは、位相変換フィルタ６６に入力される。【０１３２】  位相変換フィルタ６４は、位相差算出手段６０からの位相補正量Δ０ｂに基づき、遅延補償手段３４からのコンポジット信号の位相を補正し、コンポジット信号ＤＢとしてＹＣ分離手段９に出力する。また、位相変換フィルタ６５は、位相差算出手段６０からの位相補正量Δ０ｍに基づき、選択手段３５からのコンポジット信号の位相を補正し、コンポジット信号ＤＭとしてＹＣ分離手段９に出力する。また、位相変換フィルタ６６は、位相差算出手段６０からの位相補正量Δ０ｔに基づき、選択手段３５からのコンポジット信号の位相を補正し、コンポジット信号ＤＴとしてＹＣ分離手段９に出力する。【０１３３】  位相補正量Δ０ｂ，Δ０ｍ，Δ０ｔは、３ラインにおいての基準色副搬送波位相に対する位相補正量であり、Ｘ＝２７［ＭＨｚ］のクロックでの１周期を基準とする値に変換されている。よって、上記３ラインの信号にそれぞれ相当する位相変換フィルタ６４，６５，６６の入力信号を、それぞれΔ０ｍ，Δ０ｂ，Δ０ｔずつ遅延してサンプリングの位相を変換し、位相補正する。【０１３４】［ＮＴＳＣ方式のコンポジット信号が入力されたときの動作］
入力端子１００に入力される映像信号がＮＴＳＣ方式のコンポジット信号の場合について以下に説明する。ＮＴＳＣ方式のコンポジット信号の場合には、ラインごとに色副搬送波位相が１８０°（＝π）反転するので、注目ラインをｋラインとするとき、ｋラインの色副搬送波の位相とその上下に位置するｋ−１ラインおよびｋ＋１ラインの色副搬送波の位相とは互いに反転している。【０１３５】  このため、位相差算出手段６０では、選択手段２５において、画面上でｋラインの１ライン上に位置するｋ−１ラインの色副搬送波位相情報ｐ（ｋ−１）と、画面上でｋラインの１ライン下に位置するｋ＋１ラインの色副搬送波位相情報ｐ（ｋ＋１）とが選択され、これらの位相情報ｐ（ｋ−１），ｐ（ｋ＋１）が、ｋラインの色副搬送波位相情報ｐ（ｋ）とともに、３ライン分の色副搬送波位相情報として位相誤差算出手段６２に入力される。【０１３６】  ＮＴＳＣ方式では、ラインごとに色副搬送波位相が１８０°反転するので、偶数ライン（ライン０，２，…）の位相を０°としたとき、奇数ライン（ライン１，３，…）の位相は１８０°となる。このことを考慮し、位相差算出手段６０の位相誤差算出手段６２では、比較する基準位相の値を、偶数ラインで基準位相値０°、奇数ラインで基準位相値１８０°とし、放送方式の設定および入力信号のライン番号を示すタイミング信号ｈ１に基づいて２ラインごとに切り換え、ｋ−１，ｋ，ｋ＋１ラインの色副搬送波位相情報ｐ（ｋ−１），ｐ（ｋ），ｐ（ｋ＋１）と基準位相との位相差を、それぞれｋ−１，ｋ，ｋ＋１ラインでの補正すべき位相誤差δ０ｔ，δ０ｍ，δ０ｂとして算出する。【０１３７】  ｋラインが奇数ラインである場合には、ｋラインの信号での補正すべき位相誤差δ０ｍを、δ０ｍ＝ｐ（ｋ）−πによって算出し、１ライン下のｋ−１ラインの信号での補正すべき位相誤差δ０ｂを、δ０ｂ＝ｐ（ｋ＋１）−０によって算出し、１ライン上のｋ−１ラインの信号での補正すべき位相誤差δ０ｔを、δ０ｔ＝ｐ（ｋ−１）−０によって算出する。ここでは、−π，−０，−０はライン位置に応じた固定の基準位相に相当し、ｋ−１，ｋ，ｋ＋１ラインの位相情報ｐ（ｋ−１），ｐ（ｋ），ｐ（ｋ＋１）と固定の基準位相との位相差を、それぞれ位相誤差δ０ｔ，δ０ｍ，δ０ｂとして求めている。【０１３８】  また、ｋラインが偶数ラインである場合には、ｋラインの信号での補正すべき位相誤差δ０ｍを、δ０ｍ＝ｐ（ｋ）−０によって算出し、１ライン下のｋ＋１ラインの信号での補正すべき位相誤差δ０ｂを、δ０ｂ＝ｐ（ｋ＋１）−πによって算出し、１ライン上のｋ−１ラインの信号での補正すべき位相誤差δ０ｔを、δ０ｔ＝ｐ（ｋ−１）−πによって算出する。ここでは、−０，−π，−πはライン位置に応じた固定の基準位相に相当し、ｋ−１，ｋ，ｋ＋１ラインの位相情報ｐ（ｋ−１），ｐ（ｋ），ｐ（ｋ＋１）と固定の基準位相との位相差を、それぞれ位相誤差δ０ｔ，δ０ｍ，δ０ｂとして求めている。【０１３９】  ライン間での位相が１８０°反転して入力されるＮＴＳＣ方式の標準信号であれば、位相誤差δ０ｍ，δ０ｂ，δ０ｔはそれぞれゼロであり、非標準信号の場合は、それぞれのラインにおいての基準位相からのずれ分に相当する値がこれら���相誤差δ０ｍ，δ０ｂ，δ０ｔとして求められる。【０１４０】  位相差算出手段６０の位相補正量変換手段６３では、ＮＴＳＣ方式の色副搬送波周波数ｆｓｃ（ＮＴＳＣ）により、ＮＴＳＣ方式の色副搬送波位相の１クロックあたりの変化量ω（ＮＴＳＣ）＝２π×ｆｓｃ（ＮＴＳＣ）／Ｘが得られ、Δ０ｍ＝δ０ｍ／ω（ＮＴＳＣ），Δ０ｂ＝δ０ｂ／ω（ＮＴＳＣ），Δ０ｔ＝δ０ｔ／ω（ＮＴＳＣ）により、位相誤差δ０ｍ，δ０ｂ，δ０ｔが位相Δ０ｍ，Δ０ｂ，Δ０ｔに変換される。【０１４１】  サンプリング位相変換手段６１では、遅延補償手段３４において遅延補償されて位相変換フィルタ６４に入力されるコンポジット信号を、ｋ＋１ライン（画面上において注目ラインであるｋラインの１ライン下）の信号とすると、選択手段３５において、１ライン遅延手段３０から入力されるｋラインのコンポジット信号と、１ライン遅延手段３１から入力されるｋ−１ライン（画面上においてｋラインの１ライン上）のコンポジット信号とが選択され、ｋラインのコンポジット信号は位相変換フィルタ６５に入力され、ｋ−１ラインのコンポジット信号は位相変換フィルタ６６に入力される。【０１４２】  そして、サンプリング位相変換手段６１の位相変換フィルタ６４，６５，６６により、位相Δ０ｂ，Δ０ｍ，Δ０ｔに基づき、ｋ＋１，ｋ，ｋ−１ラインのコンポジット信号の位相が補正され、位相変換フィルタ６６で位相補正されたｋ−１ラインのコンポジット信号ＤＴと、遅延位相変換フィルタ６５で位相補正されたｋラインのコンポジット信号ＤＭと、位相変換フィルタ６４で位相補正されたｋ＋１ラインのコンポジット信号ＤＢの３ライン分のコンポジット信号が、ＹＣ分離手段９に出力される。【０１４３】  ｋ−１ラインのコンポジット信号ＤＴおよびｋ＋１ラインのコンポジット信号ＤＢのサンプリングデータは、ｋラインのコンポジット信号ＤＭのサンプリングデータに対し、位相が１８０°（＝π）反転したものとなるように補正されたデータである。【０１４４】  ＮＴＳＣ方式の非標準信号の場合においても、３ラインそれぞれの位相Δ０ｂ，Δ０ｍ，Δ０ｔによって、ｋ＋１，ｋ，ｋ−１ラインのコンポジット信号の位相が補正されるので、ｋ−１，ｋ，ｋ＋１の３ラインのコンポジット信号ＤＴ，ＤＭ，ＤＢのサンプリングデータは、ライン間の位相が反転したサンプリングデータに補正されてサンプリング位相変換手段６１から出力される。【０１４５】  ＹＣ分離手段９では、ｋ＋１，ｋ，ｋ−１ラインのコンポジット信号ＤＢ，ＤＭ，ＤＴから、ＮＴＳＣ方式の色副搬送波周波数ｆｓｃ（ＮＴＳＣ）に応じて、Ｃ信号が抽出され、Ｙ信号とＣ信号が分離される。【０１４６】［ＰＡＬ方式のコンポジット信号が入力されたときの動作］
入力端子１００に入力される映像信号がＰＡＬ方式のコンポジット信号の場合について以下に説明する。ＰＡＬ方式のコンポジット信号の場合には、ラインごとに色副搬送波位相が２７０°（つまりは−９０°）変化し、２ライン離れたライン間において、位相が１８０°（＝π）反転するので、注目ラインをｋラインとするとき、ｋラインの色副搬送波の位相とその２ライン上下に位置するｋ−２ラインおよびｋ＋２ラインの色副搬送波の位相とは互いに反転している。また、ＰＡＬ方式では、Ｒ−Ｙ信号の色副搬送波位相が、ラインごとに１８０°反転する。【０１４７】  このため、位相差算出手段６０では、選択手段２５において、画面上でｋラインの２ライン上に位置するｋ−２ラインの色副搬送波位相情報ｐ（ｋ−２）と、画面上でｋラインの２ライン下に位置するｋ＋２ラインの色副搬送波位相情報ｐ（ｋ＋２）とが選択され、これらの位相情報ｐ（ｋ−２），ｐ（ｋ＋２）が、ｋラインの色副搬送波位相情報ｐ（ｋ）とともに、３ライン分の色副搬送波位相情報として位相誤差算出手段６２に入力される。【０１４８】  ＰＡＬ方式では、位相は４ラインごとに順次変化するので（４ラインシーケンスで変化するので）、１ライン目（ライン０，４，…）の位相を０°としたとき、２ライン目（ライン１，５，…）の位相は２７０°（＝３π／２）、３ライン目（ライン２，６，…）の位相は１８０°、４ライン目（ライン３，７，…）の位相は９０°（＝π／２）となり、Ｒ−Ｙ信号の色副搬送波位相が、ラインごとに１８０°反転する。このことを考慮し、位相差算出手段６０の位相誤差算出手段６２では、比較する基準位相の値を、放送方式の設定および入力信号のライン番号を示すタイミング信号ｈ１に基づいて４ラインごとに切り換え、ｋ−２，ｋ，ｋ＋２ラインの色副搬送波位相情報ｐ（ｋ−２），ｐ（ｋ），ｐ（ｋ＋２）と基準位相との位相差を、それぞれｋ−２，ｋ，ｋ＋２ラインでの補正すべき位相誤差δ０ｔ，δ０ｍ，δ０ｂとして算出する。【０１４９】  ｋラインが４ラインシーケンスの１ライン目である場合は、ｋラインの信号での補正すべき位相誤差δ０ｍを、δ０ｍ＝ｐ（ｋ）−０によって算出し、２ライン下のｋ＋２ラインの信号での補正すべき位相誤差δ０ｂを、δ０ｂ＝ｐ（ｋ＋２）−πによって算出し、２ライン上のｋ−２ラインの信号での補正すべき位相誤差δ０ｔを、δ０ｔ＝ｐ（ｋ−２）−πによって算出する。ここでは、−０，−π，−πはライン位置に応じた固定の基準位相に相当し、ｋ−２，ｋ，ｋ＋２ラインの位相情報ｐ（ｋ−２），ｐ（ｋ），ｐ（ｋ＋２）と固定の基準位相との位相差を、それぞれ位相誤差δ０ｔ，δ０ｍ，δ０ｂとして求めている。【０１５０】  また、ｋラインが４ラインシーケンスの２ライン目である場合は、ｋラインの信号での補正すべき位相誤差δ０ｍを、δ０ｍ＝ｐ（ｋ）−３π／２によって算出し、２ライン下のｋ＋２ラインの信号での補正すべき位相誤差δ０ｂを、δ０ｂ＝ｐ（ｋ−２）−π／２によって算出し、２ライン上のｋ−２ラインの信号での補正すべき位相誤差δ０ｔを、δ０ｔ＝ｐ（ｋ−２）−π／２によって算出する。ここでは、−３π／２，−π／２，−π／２はライン位置に応じた固定の基準位相に相当し、ｋ−２，ｋ，ｋ＋２ライ��の位相情報ｐ（ｋ−２），ｐ（ｋ），ｐ（ｋ＋２）と固定の基準位相との位相差を、それぞれ位相誤差δ０ｔ，δ０ｍ，δ０ｂとして求めている。【０１５１】  ｋラインが４ラインシーケンスの３ライン目である場合は、ｋラインの信号での補正すべき位相誤差δ０ｍを、δ０ｍ＝ｐ（ｋ）−πによって算出し、２ライン下のｋ＋２ラインの信号での補正すべき位相誤差δ０ｂを、δ０ｂ＝ｐ（ｋ＋２）−０によって算出し、２ライン上のｋ−２ラインの信号での補正すべき位相誤差δ０ｔを、δ０ｔ＝ｐ（ｋ−２）−０によって算出する。ここでは、−π，０，０はライン位置に応じた固定の基準位相に相当し、ｋ−２，ｋ，ｋ＋２ラインの位相情報ｐ（ｋ−２），ｐ（ｋ），ｐ（ｋ＋２）と固定の基準位相との位相差を、それぞれ位相誤差δ０ｔ，δ０ｍ，δ０ｂとして求めている。【０１５２】  また、ｋラインが４ラインシーケンスのう４ライン目である場合は、ｋラインの信号での補正すべき位相誤差δ０ｍを、δ０ｍ＝ｐ（ｋ）−π／２によって算出し、２ライン下のｋ＋２ラインの信号での補正すべき位相誤差δ０ｂを、δ０ｂ＝ｐ（ｋ＋２）−３π／２によって算出し、２ライン上のｋ−２ラインの信号での補正すべき位相誤差δ０ｔを、δ０ｔ＝ｐ（ｋ−２）−３π／２によって算出する。ここでは、−π／２，−３π／２，−３π／２はライン位置に応じた固定の基準位相に相当し、ｋ−２，ｋ，ｋ＋２ラインの位相情報ｐ（ｋ−２），ｐ（ｋ），ｐ（ｋ＋２）と固定の基準位相との位相差を、それぞれ位相誤差δ０ｔ，δ０ｍ，δ０ｂとして求めている。【０１５３】  ２ラインごとのライン間での位相が１８０°反転で入力されるＰＡＬ方式の標準信号であれば、位相誤差δ０ｍ，δ０ｂ，δ０ｔはそれぞれゼロであり、非標準信号の場合は、それぞれのラインにおいての基準位相からのずれ分に相当する値がこれら位相誤差δ０ｍ，δ０ｂ，δ０ｔとして求められる。【０１５４】  位相差算出手段６０の位相補正量変換手段６３では、ＰＡＬ方式の色副搬送波周波数ｆｓｃ（ＰＡＬ）により、ＰＡＬ方式の色副搬送波位相の１クロックあたりの変化量ω（ＰＡＬ）＝２π×ｆｓｃ（ＰＡＬ）／Ｘが得られ、Δ０ｍ＝δ０ｍ／ω（ＰＡＬ），Δ０ｂ＝δ０ｂ／ω（ＰＡＬ），Δ０ｔ＝δ０ｔ／ω（ＰＡＬ）により、位相誤差δ０ｍ，δ０ｂ，δ０ｔは位相Δｍ，Δｂ，Δｔが変換される。【０１５５】  サンプリング位相変換手段６１では、遅延補償手段３４において遅延補償されて位相変換フィルタ６４に入力されるコンポジット信号を、ｋ＋２ライン（画面上において注目ラインであるｋラインの２ライン下）の信号とすると、選択手段３５において、１ライン遅延手段３１から入力されるｋラインのコンポジット信号と、１ライン遅延手段３３から入力されるｋ−２ライン（画面上においてｋラインの２ライン上）のコンポジット信号とが選択され、ｋラインのコンポジット信号は位相変換フィルタ６５に入力され、ｋ−２ラインのコンポジット信号は位相変換フィルタ６６に入力される。【０１５６】  そして、サンプリング位相変換手段６１の位相変換フィルタ６４，６５，６６により、位相Δ０ｂ，Δ０ｍ，Δ０ｔに基づき、ｋ＋２，ｋ，ｋ−２ラインのコンポジット信号の位相が補正され、位相変換フィルタ６６で位相補正されたｋ��２ラインのコンポジット信号ＤＴと、遅延位相変換フィルタ６５で位相補正されたｋラインのコンポジット信号ＤＭと、位相変換フィルタ６４で位相補正されたｋ−２ラインのコンポジット信号ＤＢの３ライン分のコンポジット信号が、ＹＣ分離手段９に出力される。【０１５７】  ＰＡＬ方式においてのｋ−２ラインのコンポジット信号ＤＴおよびｋ＋２ラインのコンポジット信号ＤＢのサンプリングデータは、ｋラインのコンポジット信号ＤＭのサンプリングデータに対し、位相が１８０°（＝π）反転したものとなるように補正されたデータである。【０１５８】  ＰＡＬ方式の非標準信号の場合においても、３ラインそれぞれの位相Δ０ｂ，Δ０ｍ，Δ０ｔによって、ｋ＋２，ｋ−２ラインのコンポジット信号ＤＢ，ＤＭ，ＤＴの位相が補正されるので、ｋ−２，ｋ，ｋ＋２の３ラインのコンポジット信号ＤＴ，ＤＭ，ＤＢのサンプリングデータは、ライン間の位相が反転したサンプリングデータに補正されてサンプリング位相変換手段６１から出力される。【０１５９】  ＹＣ分離手段９では、ｋ＋２，ｋ，ｋ−２ラインのコンポジット信号ＤＢ，ＤＭ，ＤＴから、ＰＡＬ方式の色副搬送波周波数ｆｓｃ（ＰＡＬ）に応じて、Ｃ信号が抽出され、Ｙ信号とＣ信号が分離される。【０１６０】  このように、位相差算出手段６０は、ＮＴＳＣ方式では、注目ラインとその１ライン上または下に位置するラインの計３ラインの信号に対し、色副搬送波の位相情報ｐからそれぞれのラインにおいての基準位相からの位相誤差を算出して位相Δ０ｂ，Δ０ｍ，Δ０ｔを出力し、ＰＡＬ方式では、注目ラインと２ライン上または下に位置するラインの計３ラインの信号に対し、色副搬送波の位相情報ｐからそれぞれのラインにおいての基準位相からの位相誤差を検出して位相補正量Δ０ｂ，Δ０ｍ，Δ０ｔを出力する。【０１６１】  また、サンプリング位相変換手段６１は、位相補正量Δ０ｂ，Δ０ｍ，Δ０ｔにより、ＮＴＳＣ方式では、ｋ−１，ｋ，ｋ＋１ラインのコンポジット信号の位相を補正して、これらｋ−１，ｋ，ｋ＋１ラインのコンポジット信号を３ライン分のコンポジット信号ＤＴ，ＤＭ，ＤＢとして出力し、ＰＡＬ方式では、ｋ−２，ｋ，ｋ＋２ラインのコンポジット信号の位相を補正して、これらｋ−２，ｋ，ｋ＋２ラインのコンポジット信号を３ライン分のコンポジット信号ＤＴ，ＤＭ，ＤＢとして出力する。【０１６２】  なお、上記位相誤差δ０ｍ，δ０ｂ，δ０ｔの算出においては、基準位相の値の設定を０°，１８０°としたが、基準位相の値は、それぞれのラインで抽出するサンプリング位置に対し、色副搬送波の位相とライン間の位相関係を示す値であり、ライン間の色副搬送波の位相差が１８０°の反転となるように、オフセット分を考慮した基準値を設定してもよい。【０１６３】  その他の放送方式、例えば、ＰＡＬ−Ｎ方式，ＰＡＬ−Ｍ方式，ＮＴＳＣ−４．４３方式などの場合にも、ラインごとの色副搬送波の位相が１８０°反転することを考慮したＹＣ分離を行えるように、位相差算出手段６０内の位相誤差算出手段６２において、それぞれのラインの位相情報と基準位相から補正すべき位相誤差を求めれば、サンプリング位相変換手段６１による位相の補正が行え、それぞれの放送方式にも容易に対応することができる。【０１６４】  つまり、色副搬送波の位相が反転関係とならない放送方式や非標準信号に対しても、位相差算出手段６０内の位相誤差算出手段６２において、上記ＮＴＳＣ方式やＰＡＬ方式の場合と同様の算出により、ライン間の色副搬送波の位相差が１８０°の反転となるように、オフセット分を考慮した値を位相誤差として求めることができる。【０１６５】  また、入力信号がＳＥＣＡＭ方式である場合には、ＮＴＳＣ方式、ＰＡＬ方式と異なる処理が必要であり、一般には２次元ＹＣ分離は行わないが、色副搬送波のラインごとの位相関係を考慮すれば、上記のサンプリング位相変換を行うことで、ＹＣ分離を行うことができる。【０１６６】  以上のようの実施の形態２によれば、複数の放送方式、非標準信号に対し、位相差算出手段６０において、コンポジット信号における色副搬送波の位相情報から、各ラインの基準位相値との位相誤差を算出し、ライン間の色副搬送波の位相差が、１８０°の反転となるための位相補正量を得て、コンポジット信号のサンプリング位相をサンプリング位相変換により補正した後、ＹＣ分離を行うので、ライン間での位相関係や非標準信号であるかによらず、良好な２次元ＹＣ分離を行い、ＹＣ分離後の画質劣化を防ぐことができる。また、固定の基準位相とラインでの位相を比較するので、位相誤差算出時の構成を固定値との減算で構成でき、回路構成が容易となる。【０１６７】  なお、上記実施の形態２のタイミング信号発生手段６ａでは、水平ブランキング期間のバースト信号期間における位置を示すタイミング信号ｈｂとフレーム単位のライン番号を示すタイミング信号ｈ１とを発生するが、色副搬送波の位相検出のためのタイミング信号ｈｂは、任意の位置で発生してもよく、タイミング信号が示す各位置における色副搬送波の位相を検出するのであれば、上記実施の形態２と同様の効果を奏する。また、フレーム単位のライン番号を示すタイミング信号ｈ１は、色副搬送波のラインごとの位相の変化に応じて繰り返されるタイミング信号であればよく、ＮＴＳＣ方式の場合は、偶数ラインと奇数ラインの識別が可能な信号、ＰＡＬ方式では、４ラインのシーケンスを示す信号であれば、同様の効果を奏する。【０１６８】  さらに、上記実施の形態２では、ハードウェア構成するよう説明しているが、ハードウェア構成に限らず、プログラム制御でのソフトウェアの処理により実現する構成してもよい。【０１６９】実施の形態３．
上記実施の形態１および２では、位相差算出手段から出力される位相補正量により映像信号の位相を補正したが、以下に説明する実施の形態３では、位相差算出手段から出力される位相補正量によりサンプリングクロックの位相を補正して、映像信号の位相関係をＹＣ分離で用いる関係となるようにする。【０１７０】  図１４は本発明の実施の形態３の映像信号処理回路の構成例を示すブロック図であり、図１または図１１と同様のものには同じ符号を付してある。図１４において、実施の形態３の映像信号処理回路は、Ａ／Ｄ変換手段１と、クロック発生手段２と、クロック位相補正手段７０と、バースト位相検出手段３と、位相差算出手段７１と、同期分離手段５と、タイミング信号発生手段６ｂと、放送方式設定手段７と、ライン遅延選択手段７２と、ＹＣ分離手段９と、入力端子１００と、出力端子１０１および１０２とを備えている。【０１７１】  このように、実施の形態３の映像信号処理回路は、上記実施の形態１または２の映像信号処理回路（図１または図１１参照）において、位相差算出手段４または６０を位相差算出手段７１に変更し、タイミング信号発生手段６または６ａをタイミング信号発生手段６ｂに変更し、サンプリング位相変換手段８に相当する手段として、クロック位相補正手段７０と、ライン遅延選択手段７２を設けたものである。これらクロック位相補正手段７０、タイミング信号発生手段６ｂ、位相差算出手段７１、ライン遅延選択手段７２を除く他の部分の構成および動作は、上記実施の形態１または２と同様である。【０１７２】［クロック位相補正手段７０］
クロック位相補正手段７０は、クロック発生手段２からの所定の周波数Ｘのクロックに、位相差算出手段７１からの位相補正量Δｃ分に相当する遅延を与えることにより、クロック発生手段２が発生したクロックの位相を補正し、この位相補正したクロックを、Ａ／Ｄ変換手段１、バースト位相検出手段３、位相差算出手段７１、同期分離手段５、タイミング信号発生手段６ｂ、ライン遅延選択手段７２、およびＹＣ分離手段９に供給する。【０１７３】  従って、これらＡ／Ｄ変換手段１、バースト位相検出手段３、位相差算出手段７１、同期分離手段５、タイミング信号発生手段６ｂ、ライン遅延選択手段７２、およびＹＣ分離手段９は、クロック位相補正手段７０で位相補正されたクロックにより動作する。【０１７４】［タイミング信号発生手段６ｂ］
タイミング信号発生手段６ｂは、同期分離手段５からの同期信号に基づき、タイミング信号を発生し、位相差算出手段７１に出力する。ここでは、水平同期信号に基づき、例えばフレーム単位のライン番号（ＮＴＳＣ方式の場合０〜５２４，ＰＡＬ方式の場合０〜６２４）など、入力コンポジット信号においてのライン番号（ライン位置）を示すタイミング信号ｈ１を発生する。【０１７５】［位相差算出手段７１］
位相差算出手段７１は、バースト位相検出手段３内のＮＣＯ１４（図２参照）から入力された色副搬送波の位相情報ｐから、注目ラインについて基準位相（ライン位置に応じてあらかじめ決められた固定の位相値）からの位相誤差を算出し、位相補正量Δｃをクロック位相補正手段７０に出力する。【０１７６】  図１５は位相差算出手段７１の構成例を示すブロック図である。図１５において、位相差算出手段７１は、位相誤差算出手段７３と、位相補正量変換手段７４とを備えている。【０１７７】  図１５の位相差算出手段７１において、位相誤差算出手段７３には、バースト位相検出手段３からの位相情報ｐ、タイミング信号発生手段６ｂからのタイミング信号ｈ１、および放送方式設定手段７からの放送方式設定信号が入力される。【０１７８】  位相誤差算出手段７３は、バースト位相検出手段３からの注目ラインの位相情報ｐから、入力ライン信号の位相と、放送方式の設定および入力信号のライン番号を示すタイミング信号ｈ１に基づいた固定の基準位相との位相差を、補正すべき位相誤差δｃとして求め、位相補正量変換手段７４に出力する。【０１７９】  位相補正量変換手段７４は、位相誤差算出手段７３からの位相誤差δｃを、位相補正のための位相補正量Δｃに変換し、クロック位相補正手段７０に出力する。この位相誤差δｃを位相補正量Δｃに変換する手順は、上記実施の形態２の位相補正量変換手段６３（図１２参照）において、位相誤差δ０ｍを位相補正量Δ０ｍに変換する手順と同様であり、詳細な説明は省略する。【０１８０】  クロック位相補正手段７０で位相補正量Δｃの位相補正をされたクロックによって、Ａ／Ｄ変換手段１は入力コンポジット信号をサンプリングすることになるので、位相補正量がΔｃであるラインのサンプリングデータは、位相補正量Δｃを補正されたデータとして、Ａ／Ｄ変換手段１でサンプリングされることとなり、結果として、位相補正量Δｃの位相補正をされたコンポジット信号がＡ／Ｄ変換手段１からライン遅延選択手段７２に入力される。【０１８１】  以上のように、位相差算出手段７１では、各ラインのバースト信号の位相情報ｐをライン毎に固定の基準位相と比較し、位相誤差δｃ（位相補正量Δｃ）を求め、クロック位相補正手段７０において、そのラインの信号をサンプリングする位相をライン毎の基準位相と比較し、位相誤差δｃを各ラインで求め、位相誤差δｃにより、ライン毎にサンプリングクロックの位相を補正している。即ち、図１４のクロック発生手段２から出力されるクロック（図１６（ａ））の位相を補正して、補正されたクロック（図１６（ｂ））を生成する。そして、この補正されたクロック（図１６（ｂ））により、Ａ／Ｄ変換手段１における入力信号（図１６（ｃ）のＡ／Ｄ変換を行う。ＮＴＳＣ信号の場合、基準位相の値は、例えば偶数ラインでは０°、奇数ラインでは１８０°と２ラインごとに切り換えられる。【０１８２】［ライン遅延選択手段７２］
ライン遅延選択手段７２は、位相補正されたクロックでサンプリングされたＡ／Ｄ変換手段１からのデジタル信号のコンポジット信号から、ＹＣ分離に用いるライン数分の信号として例えば３ライン分のコンポジット信号を得て、位相補正した３ラインのコンポジット信号ＤＴ，ＤＭ，ＤＢをＹＣ分離手段９に出力する。なお、この実施の形態３では、ライン遅延選択手段７２とクロック位相補正手段７０から、サンプリング位相変換手段を構成することとなる。すなわち、バースト信号の位相情報から得られる基準値との位相誤差に基きサンプリングクロックの位相を補正し、位相補正されたクロックによりＡ／Ｄ変換したデジタル映像信号とそのライン遅延した後の信号において、映像信号が所定の位相関係となるようにサンプリング位相が補正されていることになる。【０１８３】  図１７はライン遅延選択手段７２の構成例を示すブロック図である。図１７において、ライン遅延選択手段７２は、１ライン遅延手段７５ａ，７５ｂ，７５ｃ，７５ｄと、遅延補償手段７６と、選択手段７７とを備えている。【０１８４】  図１７のライン遅延選択手段７２において、位相補正されたクロックでサンプリングされたＡ／Ｄ変換手段１からのコンポジット信号は、１ライン遅延手段７５ａと遅延補償手段７６に入力される。また、放送方式設定手段７からの放送方式設定信号は、選択手段７７に入力される。【０１８５】  １ライン遅延手段７５ａは、入力されたコンポジット信号を１ライン分遅延し、１ライン遅延手段７５ｂおよび選択手段７７に出力する。また、１ライン遅延手段７５ｂは、１ライン遅延手段７５ａからのコンポジット信号をさらに１ライン遅延し、１ライン遅延手段７５ｃおよび選択手段７７に出力する。また、１ライン遅延手段７５ｃは、１ライン遅延手段７５ｂからのコンポジット信号をさらに１ライン遅延し、１ライン遅延手段７５ｄに出力する。また、１ライン遅延手段７５ｄは、１ライン遅延手段７５ｃからのコンポジット信号をさらに１ライン遅延し、選択手段７７に出力する。【０１８６】  遅延補償手段７６は、Ａ／Ｄ変換手段１からの入力コンポジット信号に対し、選択手段７７の出力信号の選択手段７７においての遅延分を補償し、コンポジット信号ＤＢとしてＹＣ分離手段９に出力する。また、選択手段７７は、放送方式設定手段７からの放送方式設定に基づき、１ライン遅延手段７５ａ，７５ｂ，７５ｄからの入力信号の内から、放送方式に応じた２つの信号を選択し、その内の１つをコンポジット信号ＤＭとして、他の１つをコンポジット信号ＤＴとして、ＹＣ分離手段９に出力する。【０１８７】［ＮＴＳＣ方式のコンポジット信号が入力されたときの動作］
入力端子１００に入力される映像信号がＮＴＳＣ方式のコンポジット信号の場合について以下に説明する。ＮＴＳＣ方式のコンポジット信号の場合には、ラインごとに色副搬送波位相が１８０°（＝π）反転するので、注目ラインをｋラインとするとき、ｋラインの色副搬送波の位相とその上下に位置するｋ−１ラインおよびｋ＋１ラインの色副搬送波の位相とは互いに反転している。【０１８８】  ＮＴＳＣ方式では、ラインごとに色副搬送波位相が１８０°反転するので、偶数ライン（ライン０，２，…）の位相を０°としたとき、奇数ライン（ライン１，３，…）の位相は１８０°となる。このことを考慮し、位相差算出手段７１の位相誤差算出手段７３では、比較する基準位相の値を、偶数ラインで基準位相値０°、奇数ラインで基準位相値１８０°として、放送方式の設定および入力信号のライン番号を示すタイミング信号ｈ１に基づいて２ラインごとに切り換え、ｋラインの色副搬送波位相情報ｐ（ｋ）と基準位相との位相差を、補正すべき位相誤差δｃとして算出する。【０１８９】  つまり、入力信号のラインが奇数ラインである場合は、補正すべき位相誤差δｃを、δｃ＝ｐ−πによって算出し、入力信号のラインが偶数ラインの場合は、補正すべき位相誤差δｃを、δｃ＝ｐ−０によって算出する。【０１９０】  ライン間での位相が１８０°反転で入力されるＮＴＳＣ方式の標準信号であれば、位相誤差δｃはゼロであり、非標準信号の場合は、基準位相からのずれ分に相当する値がこの位相誤差δｃとして求められる。【０１９１】  位相差算出手段７１の位相補正量変換手段７４では、ＮＴＳＣ方式の色副搬送波周波数ｆｓｃ（ＮＴＳＣ）により、ＮＴＳＣ方式の色副搬送波位相の１クロックあたりの変化量ω（ＮＴＳＣ）＝２π×ｆｓｃ（ＮＴＳＣ）／Ｘが得られ、Δｃ＝δｃ／ω（ＮＴＳＣ）により、位相誤差δｃが位相補正量Δｃに変換される。【０１９２】  ＮＴＳＣ方式では、ｋラインの色副搬送波の位相とその上下に位置するｋ−１ラインおよびｋ＋１ラインの色副搬送波の位相とは互いに反転しているので、ライン遅延選択手段７２では、遅延補償手段７６に入力されるコンポジット信号を、ｋ＋１ライン（画面上において注目ラインであるｋラインの１ライン下）の信号とすると、選択手段７７において、１ライン遅延手段７５ａから入力されるｋラインのコンポジット信号と、１ライン遅延手段７５ｂから入力されるｋ−１ライン（画面上においてｋラインの１ライン上）のコンポジット信号とが選択される。【０１９３】  そして、１ライン遅延手段７５ｂから出力されたｋ−１ラインのコンポジット信号ＤＴと、１ライン遅延手段７５ａから出力されたｋラインのコンポジット信号ＤＭと、遅延補償手段７６から出力されたｋ＋１ラインのコンポジット信号ＤＢの３ライン分のコンポジット信号ＤＢが、ＹＣ分離手段９に出力される。【０１９４】  このとき、ｋ＋１ラインのコンポジット信号は、ｋ−１ラインの色副搬送波位相情報ｐ（ｋ＋１）から算出された位相補正量Δｃ（ｋ−１）で位相補正されたサンプリングクロックによりＡ／Ｄ変換手段１においてサンプリングされた信号であり、ｋラインのコンポジット信号は、ｋラインの色副搬送波位相情報ｐ（ｋ）から算出された位相補正量Δｃ（ｋ）で位相補正されたサンプリングクロックによりＡ／Ｄ変換手段１においてサンプリングされた信号であり、ｋ−１ラインの色副搬送波位相情報ｐ（ｋ−１）から算出された位相補正量Δｃ（ｋ−１）で位相補正されたサンプリングクロックによりＡ／Ｄ変換手段１においてサンプリングされた信号である。【０１９５】  ライン遅延選択手段７２に入力されたコンポジット信号は、そのラインの位相補正量Δｃを補正したクロックでサンプリングされているので、ｋ−１ラインのコンポジット信号ＤＴおよびｋ＋１ラインのコンポジット信号ＤＢのサンプリングデータは、ｋラインのコンポジット信号ＤＭのサンプリングデータに対し、位相が１８０°（＝π）反転したものとなるように補正されたデータである。【０１９６】  ＮＴＳＣ方式の非標準信号の場合においても、３ラインそれぞれの位相補正量Δｃ（ｋ＋１），Δｃ（ｋ），Δｃ（ｋ−１）によってｋ＋１，ｋ，ｋ−１ラインのサンプリングクロックの位相が補正されているので、ｋ−１，ｋ，ｋ＋１の３ラインのコンポジット信号ＤＴ，ＤＭ，ＤＢのサンプリングデータは、ライン間の位相が反転したサンプリングデータに補正されてライン遅延選択手段７２から出力される。【０１９７】  ＹＣ分離手段９では、ｋ＋１，ｋ，ｋ−１ラインのコンポジット信号ＤＢ，ＤＭ，ＤＴから、ＮＴＳＣ方式の色副搬送波周波数ｆｓｃ（ＮＴＳＣ）に応じて、Ｃ信号が抽出され、Ｙ信号とＣ信号が分離される。【０１９８】［ＰＡＬ方式のコンポジット信号が入力されたときの動作］
入力端子１００に入力される映像信号がＰＡＬ方式のコンポジット信号の場合について以下に説明する。ＰＡＬ方式のコンポジット信号の場合には、ラインごとに色副搬送波位相が２７０°（つまりは−９０°）変化し、２ライン離れたライン間において、位相が１８０°（＝π）反転するので、注目ラインをｋラインとするとき、ｋラインの色副搬送波の位相とその２ライン上下に位置するｋ−２ラインおよびｋ＋２ラインの色副搬送波の位相とは互いに反転している。また、ＰＡＬ方式では、Ｒ−Ｙ信号の色副搬送波位相が、ラインごとに１８０°反転する。【０１９９】  ＰＡＬ方式では、位相は４ラインごとに順次変化するので（４ラインシーケンスで変化するので）、１ライン目（ライン０，４，…）の位相を０°としたとき、２ライン目（ライン１，５，…）の位相は２７０°（＝３π／２）、３ライン目（ライン２，６，…）の位相は１８０°、４ライン目（ライン３，７，…）の位相は９０°（＝π／２）となり、Ｒ−Ｙ信号の色副搬送波位相が、ラインごとに１８０°反転する。このことを考慮し、位相差算出手段７１の位相誤差算出手段７３では、比較する基準位相の値を、放送方式の設定および入力信号のライン番号を示すタイミング信号ｈ１に基づいて４ラインごとに切り換え、ｋラインの色副搬送波位相情報ｐ（ｋ）と基準位相との位相差を、補正すべき位相誤差δｃとして算出する。【０２００】  つまり、入力信号のラインが４ラインシーケンスの１ライン目である場合は、補正すべき位相誤差δｃを、δｃ＝ｐ−０によって算出し、入力信号のラインが４ラインシーケンスのの２ライン目である場合は、補正すべき位相誤差δｃを、δｃ＝ｐ−３π／２によって算出し、入力信号のラインが４ラインシーケンスの３ライン目である場合は、補正すべき位相誤差δｃを、δｃ＝ｐ−πによって算出し、入力信号のラインが４ラインシーケンスの４ライン目である場合は、補正すべき位相誤差δｃを、δｃ＝ｐ−π／２によって算出する。【０２０１】  ２ラインごとのライン間での位相が１８０°反転で入力されるＰＡＬ方式の標準信号であれば、位相誤差δｃはそれぞれゼロであり、非標準信号の場合は、基準位相からのずれ分に相当する値がこれら位相誤差δｃとして求められる。【０２０２】  位相差算出手段７１の位相補正量変換手段７４では、ＰＡＬ方式の色副搬送波周波数ｆｓｃ（ＰＡＬ）により、ＰＡＬ方式の色副搬送波位相の１クロックあたりの変化量ω（ＰＡＬ）＝２π×ｆｓｃ（ＰＡＬ）／Ｘが得られ、Δｃ＝δｃ／ω（ＰＡＬ）により、位相誤差δｃが位相補正量Δｃに変換される。【０２０３】  ＰＡＬ方式では、ｋラインの色副搬送波の位相とその２ライン上下に位置するｋ−２ラインおよびｋ＋２ラインの色副搬送波の位相とは亙いに反転しているので、ライン遅延選択手段７２では、遅延補償手段７６に入力されるコンポジット信号を、ｋ＋２ライン（画面上において注目ラインであるｋラインの２ライン下）の信号とすると、選択手段７７において、１ライン遅延手段７５ｂから入力されるｋラインのコンポジット信号と、１ライン遅延手段７５ｄから入力されるｋ−２ライン（画面上においてｋラインの２ライン上）のコンポジット信号とが選択される。【０２０４】  そして、１ライン遅延��段７５ｄから出力されたｋ−２ラインのコンポジット信号ＤＴと、１ライン遅延手段７５ｂから出力されたｋラインのコンポジット信号ＤＭと、遅延補償手段７６から出力されたｋ＋２ラインのコンポジット信号ＤＢの３ライン分のコンポジット信号ＤＢが、ＹＣ分離手段９に出力される。【０２０５】  このとき、ｋ−２ラインのコンポジット信号は、ｋ−２ラインの色副搬送波位相情報ｐ（ｋ＋２）から算出された位相補正量Δｃ（ｋ−２）で位相補正されたサンプリングクロックによりＡ／Ｄ変換手段１においてサンプリングされた信号であり、ｋラインのコンポジット信号は、ｋラインの色副搬送波位相情報ｐ（ｋ）から算出された位相補正量Δｃ（ｋ）で位相補正されたサンプリングクロックによりＡ／Ｄ変換手段１においてサンプリングされた信号であり、ｋ−２ラインの色副搬送波位相情報ｐ（ｋ−２）から算出された位相補正量Δｃ（ｋ−２）で位相補正されたサンプリングクロックによりＡ／Ｄ変換手段１においてサンプリングされた信号である。【０２０６】  ライン遅延選択手段７２に入力されたコンポジット信号は、そのラインの位相補正量Δｃを補正したクロックでサンプリングされているので、ｋ−２ラインのコンポジット信号ＤＴおよびｋ＋２ラインのコンポジット信号ＤＢのサンプリングデータは、ｋラインのコンポジット信号ＤＭのサンプリングデータに対し、位相が１８０°（＝π）反転したものとなるように補正されたデータである。【０２０７】  ＰＡＬ方式の非標準信号の場合においても、３ラインそれぞれの位相補正量Δｃ（ｋ＋２），Δ（ｋ），Δｃ（ｋ−２）によってｋ＋２，ｋ，ｋ−２ラインのサンプリングクロックの位相が補正されているので、ｋ−２，ｋ，ｋ＋２の３ラインのコンポジット信号ＤＴ，ＤＭ，ＤＢのサンプリングデータは、ライン間の位相が反転したサンプリングデータに補正されてライン遅延選択手段７２から出力される。【０２０８】  ＹＣ分離手段９では、ｋ＋２，ｋ，ｋ−２ラインのコンポジット信号ＤＢ，ＤＭ，ＤＴから、ＰＡＬ方式の色副搬送波周波数ｆｓｃ（ＰＡＬ）に応じて、Ｃ信号が抽出され、Ｙ信号とＣ信号が分離される。【０２０９】  なお、上記位相誤差δｃの算出においては、基準位相の値の設定を０°，１８０°としたが、基準位相の値は、それぞれのラインで抽出するサンプリング位置に対し、色副搬送波の位相とライン間の位相関係を示す値であり、ライン間の色副搬送波の位相差が１８０°の反転となるように、オフセット分を考慮した基準値の設定を行ってもよい。【０２１０】  その他の放送方式、例えば、ＰＡＬ−Ｎ方式，ＰＡＬ−Ｍ方式，ＮＴＳＣ−４．４３方式などの場合にも、ラインごとの色副搬送波の位相が１８０°反転することを考慮したＹＣ分離を行えるように、位相差算出手段７１内の位相誤差算出手段７３において、位相情報と基準位相から補正すべき位相誤差を求めれば、クロック位相補正手段７０による位相の補正が行え、それぞれの放送方式にも容易に対応することができる。【０２１１】  また、入力信号がＳＥＣＡＭ方式である場合には、ＮＴＳＣ方式、ＰＡＬ方式と異なる処理が必要であり、一般には２次元ＹＣ分離は行わないが、色副搬送波のラインごとの位相関係を考慮すれば、上記のクロッ��の位相を補正することで、ＹＣ分離を行うことができる。【０２１２】  以上のように実施の形態３によれば、複数の放送方式、非標準信号に対し、位相差算出手段７１において、バースト信号の色副搬送波の位相情報から、基準位相値との位相誤差を算出し、ライン間の色副搬送波の位相差が、１８０°の反転となるための位相補正量を得て、クロックの位相を補正し、補正したクロックでコンポジット信号をサンプリングしたデータとするので、ライン間の色副搬送波の位相差を１８０°の反転としてＹＣ分離を行え、ライン間での位相関係や非標準信号であるかによらず、良好な２次元ＹＣ分離を行い、ＹＣ分離後の画質劣化を防ぐことができる。【０２１３】  なお、上記実施の形態３のタイミング信号発生手段６ｂでは、フレーム単位のライン番号を示すタイミング信号ｈ１を発生するが、色副搬送波のラインごとの位相の変化に応じて繰り返されるタイミング信号であればよく、ＮＴＳＣ方式の場合は、偶数ラインと奇数ラインの識別が可能な信号、ＰＡＬ方式では、４ラインのシーケンスを示す信号であれば、同様の効果を奏する。【０２１４】  また、上記実施の形態３の位相差算出手段７１では、入力ライン信号の位相と基準位相の位相差を算出して位相補正量を求めるが、上記実施の形態１の位相差算出手段４と同様に、遅延手段による特定のライン上の位置での位相情報との位相差を求め、補正すべき位相誤差を求めてもよく、ライン間の色副搬送波の位相差が、１８０°の反転となるための位相補正量を得て、クロックの位相を補正し、同様の効果を奏する。【０２１５】  さらに、上記実施の形態３では、ハードウェア構成するよう説明しているが、ハードウェア構成に限らず、プログラム制御でのソフトウェアの処理により実現する構成してもよい。【０２１６】実施の形態４．
上記実施の形態１から３では、バースト位相検出手段３を設け、色副搬送波の位相情報を検出したが、以下に説明する実施の形態４では、Ｃ信号から色差信号Ｒ−Ｙ，Ｂ−Ｙ信号を得るための色復調用の色副搬送波基準信号を発生する位相検波において、上記位相情報を生成する。【０２１７】  図１８は本発明の実施の形態４の映像信号処理回路の構成例を示すブロック図であり、図１と同様のものには同じ符号を付してある。図１８において、実施の形態４の映像信号処理回路は、Ａ／Ｄ変換手段１と、クロック発生手段２と、バースト信号位相検波手段１０と、位相差算出手段４と、同期分離手段５と、タイミング信号発生手段６と、放送方式設定手段７と、サンプリング位相変換手段８と、ＹＣ分離手段９と、入力端子１００と、出力端子１０３，１０４，１０５と、色復調手段１１０とを備えている。【０２１８】  このように、実施の形態４の映像信号処理回路は、上記実施の形態１の映像信号処理回路（図１参照）において、色復調手段１１０を設け、バースト位相検出手段３をバースト信号位相検波手段１０に変更したものである。これら色復調手段１１０およびバースト信号位相検波手段１０を除く他の分部の構成および動作は、上記実施の形態１と同様である。【０２１９】［バースト信号位相検波手段１０］
バースト信号位相検波手段１０は、図１のバースト位相検出手段３と同様に、色副搬送波基準信号を用いて、Ａ／Ｄ変換手段１からのコンポジット信号においてのバースト信号を検波し（コンポジット信号のバースト位相を検出し）、色副搬送波の位相情報ｐを位相差算出手段４に出力するものであるが、色副搬送波の位相情報ｐに基づき、Ｃ信号から色差信号Ｒ−Ｙ，Ｂ−Ｙ信号を得るための色復調用の周波数ｆｓｃの上記色副搬送波基準信号を発生して、色復調手段１１０に出力する。【０２２０】  図１９はバースト信号位相検波手段１０の構成例を示すブロック図であり、図２のバースト位相検出手段３と同様のものには同じ符号を付してある。図１９において、バースト信号位相検波手段１０は、バースト信号抽出手段１１と、位相比較手段１２と、ループ・フィルタ１３と、ＮＣＯ（Ｎｕｍｅｒｉｃａｌｌｙ  Ｃｏｎｔｒｏｌｌｅｄ  Ｏｓｃｉｌｌａｔｏｒ、数値制御発振器）１４と、正弦波ＲＯＭ（Ｒｅａｄ  Ｏｎｌｙ  Ｍｅｍｏｒｙ）１５とを備えている。【０２２１】  この実施の形態４のバースト信号位相検波手段１０は、上記実施の形態１のバースト位相検出手段３（図２参照）において、正弦波ＲＯＭ１５で発生する色副搬送波周波数ｆｓｃの基準信号を、色復調用の色副搬送波基準信号として色復調手段１１０に出力する構成としたものである。【０２２２】［色復調手段１１０］
色復調手段１１０は、ＹＣ分離手段９で抽出されたＣ信号を、放送方式設定手段７により設定された放送方式に応じて、バースト信号位相検波手段１０からの周波数ｆｓｃの色副搬送波基準信号と乗算することにより、色差信号Ｒ−Ｙ，Ｂ−Ｙ信号を色復調し、Ｒ−Ｙ信号を出力端子１０４に出力し、Ｂ−Ｙ信号を出力端子１０５に出力する。【０２２３】  ＣＣＩＲのディジタル・テレビ・スタジオの符号化規格信号において、Ｙ信号のサンプリング周波数は１３．５［ＭＨｚ］であり、Ｒ−Ｙ，Ｂ−Ｙ信号のサンプリング周波数は６．７５［ＭＨｚ］である。ＹＣ分離手段９から出力されるＹ信号、および色復調手段１１０から出力されるＲ−Ｙ，Ｂ−Ｙ信号のサンプリング周波数は、クロック発生手段２が発生するクロックの周波数Ｘ＝２７［ＭＨｚ］であるので、ＹＣ分離手段９から出力されるＹ信号のサンプリング周波数は、上記ＣＣＩＲ規格のＹ信号のサンプリング周波数の２倍であり、色復調手段１１０から出力されるＲ−Ｙ，Ｂ−Ｙ信号のサンプリング周波数は、上記ＣＣＩＲ規格のＲ−Ｙ，Ｂ−Ｙ信号のサンプリング周波数の４倍である。従って、ＹＣ分離手段９および色復調手段１１０の出力は、容易にディジタル・テレビ・スタジオの符号化規格信号に変換することができる。【０２２４】  以上のように実施の形態４によれば、複数の放送方式、非標準信号に対し、位相差算出手段において、コンポジット信号における色副搬送波の位相情報から位相誤差を算出し、ライン間の色副搬送波の位相差が、１８０°の反転となるための位相補正量を得て、コンポジット信号のサンプリング位相をサンプリング位相変換により補正した後、ＹＣ分離を行うので、ライン間での位相関係や非標準信号であるかによらず、良好な２次元ＹＣ分離を行い、ＹＣ分離後の画質劣化を防ぐことができる。さらに、色副搬送波の位相情報を色復調用の色基準信号の生成するバースト信号位相検波手段から得るので、回路規模を大幅に増加することなく、良好なＹＣ分離を行い、ＹＣ分離後の画質劣化を防ぐことができる。【０２２５】  なお、上記実施の形態４では、上記実施の形態１においてバースト位相検出手段３をバースト信号位相検波手段１０に変更して色復調手段１１０を設けたが、上記実施の形態２または３においてバースト位相検出手段３をバースト信号位相検波手段１０に変更して色復調手段１１０を設けても、上記実施の形態４と同様の効果を奏する。【０２２６】実施の形態５．
上記実施の形態１から４のＹＣ分離手段では、ラインくし形フィルタによる２次元ＹＣ分離をしたが、以下に説明する実施の形態５では、フレーム間周期での色副搬送波位相の関係を用いるフレームくし形フィルタによる３次元ＹＣ分離をする。３次元ＹＣ分離の場合は、上記実施の形態１から４において、１ラインを遅延する遅延手段を例えばフィールド単位で１フレーム分遅延するフレーム遅延手段として３次元方向に拡張すれば、上記実施の形態１から４と同様にフレーム間での位相関係や非標準信号であるかによらず、良好な３次元ＹＣ分離ができる。【０２２７】  図２０は本発明の実施の形態５の映像信号処理回路の構成例を示すブロック図であり、図１と同様のものには同じ符号を付してある。図２０において、実施の形態５の映像信号処理回路は、Ａ／Ｄ変換手段１と、クロック発生手段２と、バースト位相検出手段３と、位相差算出手段８１と、同期分離手段５と、タイミング信号発生手段６ｃと、放送方式設定手段７と、フレームサンプリング位相変換手段８２と、ＹＣ分離手段８３と、入力端子１００と、出力端子１０１および１０２とを備えている。【０２２８】  このように、実施の形態５の映像信号処理回路は、上記実施の形態１の映像信号処理回路（図１参照）において、位相差算出手段４を位相差算出手段８１に変更し、タイミング信号発生手段６をタイミング信号発生手段６ｃに変更し、サンプリング位相変換手段８をフレームサンプリング位相変換手段８２に変更し、ＹＣ分離手段９をＹＣ分離手段８３に変更したものである。これらタイミング信号発生手段６ｃ、位相差算出手段８１、フレームサンプリング位相変換手段８２、ＹＣ分離手段８３を除く他の部分の構成および動作は、上記実施の形態１と同様である。【０２２９】［タイミング信号発生手段６ｃ］
タイミング信号発生手段６ｃにおいては、同期分離手段５からの同期信号に基づき、タイミング信号を発生し、位相差算出手段８１およびフレームサンプリング位相変換手段８２に出力する。ここでは、垂直および水平同期信号に基づき、１フレーム分（２フィールド分）信号を遅延するためのタイミング信号ｖｂを発生する。【０２３０】［位相差算出手段８１］
位相差算出手段８１は、色副搬送波の位相情報ｐから、フレーム間での位相差を検出し、位相補正量Δｆをフレームサンプリング位相変換手段８２に出力する。【０２３１】  図２１は位相差算出手段８１の構成例を示すブロック図である。図２１において、位相差算出手段８１は、１フレーム遅延手段８４と、位相誤差算出手段８５と、位相補正量変換手段８６とを備えている。【０２３２】  図２１の位相差算出手段８１において、バースト位相検出手段３からの位相情報ｐは、１フレーム遅延手段８４と位相誤差算出手段８５に入力される。また、タイミング信号発生手段６ｃからのタイミング信号は、１フレーム遅延手段８４に入力される。また、放送方式設定手段７からの放送方式設定信号は、位相補正量変換手段８６に入力される。【０２３３】  １フレーム遅延手段８４は、タイミング信号ｖｂにより、位相情報ｐを１フレーム分（２フィールド分）遅延し、位相誤差算出手段８５に出力する。【０２３４】  位相誤差算出手段８５は、バースト位相検出手段３からの位相情報ｐと１フレーム遅延手段８４からの１フレーム遅延した位相情報ｐから、フレーム間の補正すべき位相誤差δｆを求め、位相補正量変換手段８６に出力する。【０２３５】  位相補正量変換手段８６は、位相誤差算出手段８５からの位相誤差δｆを、位相補正のための位相補正量Δｆに変換し、フレームサンプリング変換手段８２に出力する。【０２３６】  この位相補正量変換手段８６での変換は、位相情報ｐが色副搬送波の１周期を２πとする角度を表す情報であることから、位相誤差算出手段８５からの位相誤差δｆを、Ｘ＝２７［ＭＨｚ］のクロックでの１周期を基準とする、時間を表す値（Ｘのクロックの１周期の倍数で時間を表す）に変換するものである。つまり、色副搬送波周波数ｆｓｃから、色副搬送波位相の１クロックあたりの、角度で表された変化量ωを、ω＝２π×ｆｓｃ／Ｘとすると、位相誤差δｆから変換された位相補正量Δｆは、Δｆ＝δｆ／ωとなる。位相誤差δｆの補正範囲を−πから＋πまでとするとき、位相補正量Δｆは、−Ｘ／（２×ｆｓｃ）からＸ／（２×ｆｓｃ）までの値をとり得る。【０２３７】［フレームサンプリング位相変換手段８２］
フレームサンプリング位相変換手段８２は、Ａ／Ｄ変換手段１からのデジタル信号のコンポジット信号の１フレーム遅延信号を求めることで、ＹＣ分離に用いる現フィールドのコンポジット信号およびその１フレーム遅延したフィールドのコンポジット信号（現フィールドの注目ラインのコンポジット信号およびその１フレーム前の同じラインのコンポジット信号）を得て、位相差算出手段８１からの位相補正量Δｆによって、上記１フレーム遅延したコンポジット信号の位相を補正し、ＹＣ分離手段８３に出力する。【０２３８】  図２２はフレームサンプリング位相変換手段８２の構成例を示すブロック図である。図２２において、フレームサンプリング位相変換手段８２は、１フレーム遅延手段８７と、遅延補償手段８８と、位相変換手段８９とを備えている。なお、位相変換手段８９の構成および動作は、例えば上記実施の形態１の位相変換フィルタ（図５，図９，図１０参照）と同様である。【０２３９】  図２２のフレームサンプリング位相変換手段８２において、Ａ／Ｄ変換手段１からのコンポジット信号は、１フレーム遅延手段８７と遅延補償手段８８に入力される。また、タイミング信号発生手段６ｃからのタイミング信号ｖｂは、１フレーム遅延手段８７に入力される。また、位相差算出手段８１からの位相補正量Δｆは、位相変換手段８９に入力される。【０２４０】  １フレーム遅延手段８７は、タイミング信号ｖｂにより、入力されたコンポジット信号を１フレーム分遅延し、位相変換手段８９に出力する。【０２４１】  遅延補償手段８８は、Ａ／Ｄ変換手段１からの入力コンポジット信号に対し、位相変換手段８９においての他のコンポジット信号の信号遅延分を補償し、コンポジット信号Ｄ０としてＹＣ分離手段８３に出力する。【０２４２】  位相変換手段８９は、位相差算出手段８１からの位相補正量Δｆに基づき、１フレーム遅延補償手段８７からのコンポジット信号の位相を補正し、コンポジット信号Ｄ１としてＹＣ分離手段８３に出力する。【０２４３】  位相補正量Δｆは、現フィールドの色副搬送波位相に対する１フレーム前の信号での位相補正量であり、Ｘ＝２７［ＭＨｚ］のクロックでの１周期を基準とする値に変換されている。よって、上記１フレーム前の信号に相当する位相変換手段８９の入力信号を、Δｆ遅延してサンプリングの位相を変換し、位相補正する。【０２４４】［ＹＣ分離手段８３］
ＹＣ分離手段８３は、フレームくし形フィルタによる３次元ＹＣ分離手段であり、フレームサンプリング位相変換手段８２から入力された現フィールドおよびその１フレーム前のフィールドのコンポジット信号Ｄ０，Ｄ１から、放送方式設定手段７により設定された放送方式の色副搬送波周波数ｆｓｃに応じて、３次元ＹＣ分離によりＣ信号を抽出してＹ信号とＣ信号を分離し、Ｃ信号を出力端子１０１に出力し、Ｙ信号を出力端子１０２に出力する。【０２４５】  図２３は３次元ＹＣ分離によるＹＣ分離手段８３の構成例を示すブロック図である。図２３において、ＹＣ分離手段８３は、減算器９０と、ＢＰＦ（バンドパスフィルタ）９１と、減算器９２とを備えている。【０２４６】  図２３のＹＣ分離手段８３において、フレームサンプリング位相変換手段８２からの現フィールドのコンポジット信号Ｄ０は、減算器９０および９２に入力される。また、フレームサンプリング位相変換手段８２からの１フレーム遅延したフィールドのコンポジット信号Ｄ１は、減算器９０に入力される。また、放送方式設定手段７からの放送方式設定信号は、ＢＰＦ９１に入力される。【０２４７】  減算器９０は、現フィールドのコンポジット信号Ｄ０から１フレーム遅延したコンポジット信号Ｄ１を減算してＣ信号を抽出し、ＢＰＦ９１に出力する。フレーム間の同じラインにおいての色副搬送波の位相は反転しているので、コンポジット信号のフレーム間の相関が強ければ、この減算器９０の処理により、完全にＣ信号を抽出することができる。【０２４８】  ＢＰＦ９１は、減算器９０の出力信号から、Ｃ信号の周波数帯域外の不要成分を除去し、出力端子１０２（図２０参照）および減算器９２に出力する。なお、ＢＰＦ９１では、放送方式設定手段７からの放送方式設定信号に基づき、設定されている放送方式の色副搬送波周波数ｆｓｃに対応したＢＰＦを用いる。【０２４９】  減算器９２は、入力された現フィールドのコンポジット信号Ｄ０から、ＢＰＦ９１からのＣ信号を減算して、Ｙ信号を分離し、出力端子１０１（図２０参照）に出力する。【０２５０】［ＮＴＳＣ方式のコンポジット信号が入力されたときの動作］
入力端子１００に入力される映像信号がＮＴＳＣ方式のコンポジット信号の場合について以下に説明する。ＮＴＳＣ方式のコンポジット信号の場合には、１フレームごとに色副搬送波位相が１８０°（＝π）反転するので、現フレームをｊフレームとするとき、ｊフレームとその１フレーム前のｊ−１フレームの同じラインにおいての色副搬送波の位相は互いに反転している。また、ＹＣ分離手段８３では、フレームごとに色副搬送波の位相が反転していることを考慮して３次元ＹＣ分離によりＣ信号とＹ信号を分離する。【０２５１】  このため、位相差算出手段８１では、注目ラインであるｊフレームのｋラインの色副搬送波位相情報ｐ（ｊ，ｋ）と、ｊ−１フレームの同じｋラインの色副搬送波の位相情報ｐ（ｊ−１，ｋ）とが、色副搬送波位相情報として位相誤差算出手段８５に入力される。【０２５２】  つまり、ｊフレームのｋライン（注目ライン）の位相情報に相当するバースト位相検出手段３からの位相情報ｐ（ｊ，ｋ）と、ｊ−１フレームのｋライン（２フィールド離れた特定ライン）の位相情報に相当する１フレーム遅延手段８４からの１フレーム遅延位相情報ｐ（ｊ−１，ｋ）とが、位相誤差算出手段８５に入力される。【０２５３】  位相差算出手段８１の位相誤差算出手段８５では、フレーム間での位相πの反転分を考慮し、ｊフレームのｋラインの信号に対してその１フレーム前のｊ−１フレームの同じｋラインの信号で補正すべき位相誤差δｆを、δｆ＝ｐ（ｊ−１，ｋ）−ｐ（ｊ，ｋ）＋πによって算出する。ここでは、＋πは固定の位相値であり、−ｐ（ｊ，ｋ）＋πはｊフレームのｋラインに対する基準位相に相当し、ｊ−１フレームのｋラインの位相情報ｐ（ｊ−１，ｋ）と注目ラインに対する基準位相との位相差を、位相誤差δｆとして求めている。【０２５４】  フレーム間での位相が１８０°反転で入力されるＮＴＳＣ方式の標準信号であれば、位相誤差δｆはゼロであり、非標準信号の場合は、位相のずれ分に相当する値がこの位相誤差δｆとして求められる。【０２５５】  位相差算出手段８１の位相補正量変換手段８６では、ＮＴＳＣ方式の色副搬送波周波数ｆｓｃ（ＮＴＳＣ）により、ＮＴＳＣ方式の色副搬送波位相の１クロックあたりの変化量ω（ＮＴＳＣ）＝π×ｆｓｃ（ＮＴＳＣ）／Ｘが得られ、Δｆ＝δｆ／ω（ＮＴＳＣ）により、位相誤差δｆが位相補正量Δｆに変換される。【０２５６】  フレームサンプリング位相変換手段８２では、遅延補償手段８８において遅延補償されるコンポジット信号を、ｊフレームのｋラインの信号とすると、１フレーム遅延手段８７で１フレーム分遅延されたｊ−１フレームのｋラインのコンポジット信号が位相変換手段８９に入力される。【０２５７】  そして、位相変換手段８９により、位相補正量Δｆに基づき、ｊ−１フレームのｋラインのコンポジット信号の位相が補正され、位相変換手段８９で位相補正されたｊ−１フレームのコンポジット信号Ｄ１と、遅延補償手段８８で遅延補償されたｊフレームのコンポジット信号Ｄ０とが、ＹＣ分離手段８３に出力される。【０２５８】  ｊ−１フレームのコンポジット信号Ｄ１は、ｊフレームのコンポジット信号Ｄ０のサンプリングデータに対し、位相が１８０°（＝π）反転したものとなるよう���補正されたデータである。【０２５９】  ＮＴＳＣ方式の非標準信号の場合においても、フレーム間の位相補正量Δｆによって、ｊフレームとその１フレーム前のｊ−１フレームのコンポジット信号Ｄ１，Ｄ０のサンプリングデータは、フレーム間での位相が反転したサンプリングデータに補正されてフレームサンプリング位相変換手段８２から出力される。【０２６０】  ＹＣ分離手段８３では、ｊ，ｊ−１フレームのコンポジット信号Ｄ０，Ｄ１から、ＮＴＳＣ方式の色副搬送波周波数ｆｓｃ（ＮＴＳＣ）に応じて、Ｃ信号が抽出され、Ｙ信号とＣ信号が分離される。【０２６１】［ＰＡＬ方式のコンポジット信号が入力されたときの動作］
入力端子１００に入力される映像信号がＰＡＬ方式のコンポジット信号の場合について以下に説明する。ＰＡＬ方式のコンポジット信号の場合には、１フレームごとに色副搬送波位相が２７０°変化し、２フレーム後に１８０°反転するので、現フレームをｊフレームとするとき、ｊフレームの色副搬送波の位相とその１フレーム前のｊ−１フレームの色副搬送波の位相とは３π／２ずれており、ｊフレームの色副搬送波の位相とその２フレーム前のｊ−２フレームの色副搬送波の位相とは互いに反転している。また、ＹＣ分離手段８３では、フレーム相関性を利用しており、フレーム間での色副搬送波の位相が１８０°反転することを考慮した３次元ＹＣ分離によりＣ信号とＹ信号を分離する。【０２６２】  しかしながら、ＰＡＬ方式において色副搬送波位相が１８０°反転する現フレームとその２フレーム前のフレームでの信号間の相関は一般に弱く、フレーム相関が弱くなると、３次元ＹＣ分離を行う際に弊害が生じ、良好なＹＣ分離が行うことができない。このため、現フレームとその２フレーム前のフレームとを用いて３次元ＹＣ分離をするのは得策でない。【０２６３】  そこで、ＰＡＬ方式においても、上記ＮＴＳＣ方式の場合と同様に、位相差算出手段８１において、現フレームとその１フレーム前のフレーム間での位相誤差を含め、上記フレーム間の位相が１８０°反転するように位相補正するための位相補正量を求める。【０２６４】  位相差算出手段８１の位相誤差算出手段８５では、注目ラインであるｊフレームのｋラインの色副搬送波位相情報ｐ（ｊ，ｋ）と、ｊ−１フレームの同じｋラインの色副搬送波の位相情報ｐ（ｊ−１，ｋ）とから、上記ＮＴＳＣ方式と同様に、ｊフレームのｋラインの信号に対してその１フレーム前のｊ−１フレームの同じｋラインの信号で補正すべき位相誤差δｆを、δｆ＝ｐ（ｊ−１）−ｐ（ｊ）＋πによって算出する。【０２６５】  フレーム間での位相が２７０°変化して入力されるＰＡＬ方式の標準信号であれば、ｐ（ｊ−１，ｋ）＝ｐ（ｊ，ｋ）＋３π／２なので、δｆ＝（３π／２）＋π＝２π＋π／２、つまりδｆ＝π／２であり、これにより、位相０°の信号の場合（現フィールドでは２７０°の位相に対応）は、位相９０°への補正となる。また、非標準信号の場合は、位相のずれ分に相当する値が上記π／２に付加され、位相誤差δｆとして求められる。【０２６６】  位相差算出手段８１の位相補正量変換手段８６では、ＰＡＬ方式の色副搬送波周波数ｆｓｃ（ＰＡＬ）により、ＰＡＬ方式の色副搬送波位相の１クロックあたりの変化量ω（ＰＡＬ）＝２π×ｆｓｃ（ＰＡＬ）／Ｘが得られ、Δｆ＝δｆ／ω（ＰＡＬ）により、位相誤差δｆが位相補正量Δｆに変換される。【０２６７】  フレームサンプリング位相変換手段８２では、上記ＮＴＳＣ方式の場合と同様に、ｊ−１フレームのコンポジット信号Ｄ１とｊフレームのコンポジット信号Ｄ０のサンプリングデータの位相が１８０°（＝π）反転したものとなるように、位相補正量Δｆによりｊ−１フレームのコンポジット信号Ｄ１の位相を補正する。【０２６８】  ＰＡＬ方式の非標準信号の場合も、位相補正量Δｆには位相のずれ分に相当する値が含まれるため、フレーム間の位相補正量Δｆによって、ｊフレームと���の１フレーム前のｊ−１フレームのコンポジット信号Ｄ１，Ｄ０のサンプリングデータは、フレーム間での位相が反転したサンプリングデータに補正されてフレームサンプリング位相変換手段８２から出力される。【０２６９】  ＹＣ分離手段８３では、ｊ，ｊ−１フレームのコンポジット信号Ｄ０，Ｄ１から、ＰＡＬ方式の色副搬送波周波数ｆｓｃ（ＰＡＬ）に応じて、Ｃ信号が抽出され、Ｙ信号とＣ信号が分離される。【０２７０】  なお、上記位相誤差δｆの算出においては、フレーム間での位相πの反転分を考慮して、値πを加算し求めているが、位相πの考慮は、値πに限らず、放送方式のフレーム間での位相関係を考慮し、色副搬送波の位相差が１８０°の反転となるよう、オフセット分を考慮した位相誤差となればよい。【０２７１】  その他の放送方式の場合にも、フレームごとの色副搬送波の位相が１８０°反転することを考慮したＹＣ分離を行えるように、位相差算出手段８１内の位相誤差算出手段８５において、フレーム間での位相情報から補正すべき位相誤差を求めれば、フレームサンプリング位相変換手段８２における位相補正が行え、それぞれの放送方式にも容易に対応することができる。【０２７２】  以上のように実施の形態５によれば、複数の放送方式、非標準信号に対し、位相差算出手段８１において、コンポジット信号における色副搬送波の位相情報から、フレーム間の位相誤差を算出し、フレーム間での色副搬送波の位相差が１８０°の反転となるための位相補正量を得て、コンポジット信号のサンプリング位相をサンプリング位相変換により補正した後、ＹＣ分離を行うので、フレーム間での位相関係や非標準信号であるかによらず、良好な３次元ＹＣ分離を行い、ＹＣ分離後の画質劣化を防ぐことができる。【０２７３】  なお、上記実施の形態５の位相差算出手段８１では、フレーム間の色副搬送波位相を比較して位相補正量を求めたが、上記実施の形態２と同様に、色副搬送波位相を固定の位相値と比較して補正量を求めることもできる。【０２７４】  また、上記実施の形態５の位相差算出手段８１を図２４に示す構成とすることも可能であり、その場合に、フレームサンプリング位相変換手段８２を図２５に示す構成とすることが可能である。【０２７５】  図２４の位相差算出手段８１は、１フレーム遅延手段８４と、位相誤差算出手段９３と、位相補正量変換手段９４とを備えている。なお、図２４において、図２１の位相差算出手段８１と同様のものには同じ符号を付してある。位相誤差算出手段９３は、比較する基準位相の値を、色副搬送波位相のフレーム間での変化から設定し、放送方式の設定と信号発生手段６ｃからのタイミング信号ｖ１に基づいて切り換え、現フィールドの位相情報ｐおよび１フレーム遅延手段８４から出力された１フレーム前のフィールドの位相情報ｐのそれぞれを基準位相値と比較して位相差を算出し、現フィールドの信号での補正すべき位相誤差δｆ０と、１フレーム前の信号での補正すべき位相誤差δｆ１とを求める。また、位相補正量変換手段９４では、位相誤差算出手段９３からの位相誤差δｆ０，δｆ１、を位相補正のための位相補正量Δｆ０，Δｆ１に変換する。【０２７６】  図２５のフレームサンプリング位相変換手段８２は、１フレ��ム遅延手段８７と、位相変換手段９５，９６とを備えている。なお、図２５において、図２２のフレームサンプリング位相変換手段８２と同様のものには同じ符号を付してある。位相変換手段９５は、現フィールドのコンポジット信号に、位相補正量Δｆ０の遅延を与えて、位相を補正する。また、位相変換手段９６は、現フィールドの１フレーム前のフィールドのコンポジット信号に、位相補正量Δｆ１の遅延を与えて、位相を補正する。【０２７７】  また、上記実施の形態５では、位相差算出手段８１から出力される位相補正量により映像信号の位相を補正したが、上記実施の形態３と同様に、サンプリングを行うサンプリングクロックの位相を補正することにより、位相関係を３次元ＹＣ分離で用いる関係となるよう構成することができ、上記と同様の効果を奏する。【０２７８】実施の形態６
上記実施の形態５では、バースト位相検出手段３を設け、色副搬送波の位相情報を検出したが、以下に説明する実施の形態６では、上記実施の形態４と同様に、Ｃ信号からＲ−Ｙ，Ｂ−Ｙ信号を得るための色復調用の色副搬送波基準信号を発生するバースト信号位相検波手段１０において、上記位相情報を生成する。【０２７９】  図２６は本発明の実施の形態６の映像信号処理回路の構成例を示すブロック図であり、図１８または図２０と同様のものには同じ符号を付してある。図２６において、実施の形態６の映像信号処理回路は、Ａ／Ｄ変換手段１と、クロック発生手段２と、バースト信号位相検波手段１０と、位相差算出手段８１と、同期分離手段５と、タイミング信号発生手段６ｃと、放送方式設定手段７と、フレームサンプリング位相変換手段８２と、ＹＣ分離手段８３と、入力端子１００と、出力端子１０３，１０４，１０５と、色復調手段１１０とを備えている。【０２８０】  このように、実施の形態６の映像信号処理回路は、上記実施の形態４の映像信号処理回路（図１８参照）において、位相差算出手段４を位相差算出手段８１に変更し、タイミング信号発生手段６をタイミング信号発生手段６ｃに変更し、サンプリング位相変換手段８をフレームサンプリング位相変換手段８２に変更し、ＹＣ分離手段９をＹＣ分離手段８３に変更したものである。【０２８１】  また、実施の形態６の映像信号処理回路は、上記実施の形態５の映像信号処理回路（図２０参照）において、色復調手段１１０を設け、バースト位相検出手段３をバースト信号位相検波手段１０に変更したものである。【０２８２】  なお、この実施の形態６の映像信号処理回路において、バースト信号位相検波手段１０および色復調手段１１０の構成および動作は、上記実施の形態４と同様であり、これらを除く他の部分の構成および動作は、上記実施の形態５と同様である。【０２８３】  以上のように実施の形態６によれば、複数の放送方式、非標準信号に対し、位相差算出手段８１において、コンポジット信号における色副搬送波の位相情報から、フレーム間の位相誤差を算出し、フレーム間での色副搬送波の位相差が１８０°の反転となるための位相補正量を得て、コンポジット信号のサンプリング位相をサンプリング位相変換により補正した後、ＹＣ分離を行うので、フレーム間での位相関係や非標準信号であるかによらず、良好な３次元ＹＣ分離を行い、ＹＣ分離後の画質劣化を防ぐことができる。さらに、バースト信号位相検波手段での処理を色復調用の色基準信号の生成時に、色副搬送波の位相情報が得られるので、回路規模を大幅に増加することなく、良好なＹＣ分離を行い、ＹＣ分離後の画質劣化を防ぐことができる。【０２８４】実施の形態７．
上記実施の形態１から３、および実施の形態５では、コンポジット信号を入力とし、ライン間もしくはフレーム間での位相関係や非標準信号であるかによらず、良好な２次元もしくは３次元ＹＣ分離を行い、Ｙ信号とＣ信号を得ることを説明したが、以下に示す実施の形態７では、コンポジット信号を入力とし、上記ＹＣ分離後のＹ信号とＣ信号を表示する映像信号表示装置を示す。【０２８５】  図２７は、上記実施の形態１の図１を元にした実施の形態７による映像信号表示装置の一例を示すブロック図であり、図１と同様のものには同じ符号を付してある。図において、実施の形態７の映像信号表示装置は、Ａ／Ｄ変換手段１と、クロック発生手段２と、バースト位相検出手段３と、位相差算出手段４と、同期分離手段５と、タイミング信号発生手段６と、放送方式設定手段７と、サンプリング位相変換手段８と、ＹＣ分離手段９と、表示処理手段２００と、表示手段２０１を備えている。【０２８６】  一般に、ＴＶ放送やＶＴＲ、ＤＶＤおよびゲーム機等からの信号を表示する映像信号表示装置では、コンポジット信号を入力する入力端子を備えており、コンポジット信号入力をデジタル信号へ変換してＹＣ分離した後、ＹＣ分離後のＹ信号とＣ信号を処理し、画像として表示する。実施の形態７の映像信号表示装置は、上記実施の形態１の映像信号処理回路（図１参照）において、ＹＣ分離手段９からの出力であるＹ信号とＣ信号を処理する表示処理手段２００と、表示手段２０１を設け、ＹＣ分離した後の信号を表示するように構成したものである。これら表示処理手段２００および表示手段２０１に関する部分以外の構成、及び動作は、上記実施の形態１と同様であり、その詳細な説明は省略する。【０２８７】  ［表示処理手段２００］
表示処理手段２００は、ＹＣ分離手段９により分離されたＹ信号とＣ信号が送られ、Ｙ信号とＣ信号に基づき、Ｃ信号を色復調してＲ−Ｙ、Ｂ−Ｙ信号を得た後、例えばＲＧＢ信号へと変換して、スケーリング処理などの表示信号へと変換するための信号処理を施し、表示信号として表示手段２０１へ出力する。【０２８８】  ［表示手段２０１］
表示手段２０１は、表示処理手段２００からの表示信号を表示し、ＹＣ分離手段９により分離されたＹ信号とＣ信号による映像信号を表示することとなる。【０２８９】  以上のように本実施の形態７によれば、複数の放送方式、非標準信号に対し、コンポジット信号のサンプリング位相をサンプリング位相変換により補正した後、ＹＣ分離を行い、ライン間での位相関係や非標準信号であるかによらず、良好なＹＣ分離を行い、その後のＹ信号とＣ信号による映像信号を表示するので、クロスカラーやドット妨害など画質劣化のない良好な映像信号を表示することができる。【０２９０】  なお、上記実施の形態７では、上記実施の形態１においてＹＣ分離手段９からの出力を表示するように表示処理手段２００、表示手段２０１を設けたが、図２８に示すように上記実施の形態２において、表示処理手段２００、表示手段２０１を設けても、また、図２９に示すように上記実施の形態３において、表示処理手段２００、表示手段２０１を設けてもよく、さらには、図３０に示すように、上記実施の形態５において、ＹＣ分離手段８３の後に表示処理手段２００、表示手段２０１を設けても、上記実施の形態７と同様の効果を奏する。【０２９１】実施の形態８．
上記実施の形態４および６では、コンポジット信号を入力とし、ライン間もしくはフレーム間での位相関係や非標準信号であるかによらず、良好な２次元もしくは３次元ＹＣ分離を行い、Ｙ信号と色復調した後のＲ−Ｙ、Ｂ−Ｙ信号を得ることを説明したが、以下に示す実施の形態８では、コンポジット信号を入力とし、上記ＹＣ分離および色復調後のＹ信号とＲ−Ｙ、Ｂ−Ｙ信号を表示する映像信号表示装置を示す。【０２９２】  図３１は、上記実施の形態４の図１８を元にした実施の形態８による映像信号表示装置の一例を示すブロック図であり、図１８と同様のものには同じ符号を付してある。図において、実施の形態８の映像信号表示装置は、Ａ／Ｄ変換手段１と、クロック発生手段２と、バースト信号位相検波手段１０と、位相差算出手段４と、同期分離手段５と、タイミング信号発生手段６と、放送方式設定手段７と、サンプリング位相変換手段８と、ＹＣ分離手段９と、色復調手段１１０と、表示処理手段２０２と、表示手段２０１とを備えている。【０２９３】  一般に、ＴＶ放送やＶＴＲ、ＤＶＤおよびゲーム機等からの信号を表示する映像信号表示装置では、コンポジット信号を入力する入力端子を備えており、コンポジット信号入力をデジタル信号へ変換してＹＣ分離し、色復調した後、Ｙ信号とＲ−Ｙ、Ｂ−Ｙ信号を画像として表示する。実施の形態８の映像信号表示装置は、上記実施の形態４の映像信号処理回路（図１８参照）において、ＹＣ分離手段９からの出力であるＹ信号と色復調手段１１０からのＲ−Ｙ、Ｂ−Ｙ信号を処理する表示処理手段２０２と、表示手段２０１を設け、ＹＣ分離および色復調した後の信号を表示するように構成したものである。これら表示処理手段２０２および表示手段２０１に関する部分以外の構成、及び動作は、上記実施の形態４と同様であり、また、表示手段２０１の構成、及び動作は、上記実施の形態７と同様であるので、その詳細な説明は省略する。【０２９４】  ［表示処理手段２０２］
表示処理手段２０２は、ＹＣ分離手段９により分離されたＹ信号と、色復調処理手段１１０からのＲ−Ｙ、Ｂ−Ｙ信号が送られ、Ｙ信号とＲ−Ｙ、Ｂ−Ｙ信号から例えばＲＧＢ信号へと変換し、スケーリング処理などの表示信号へと変換するための信号処理を施した後、表示信号として表示手段２０１へ出力する。表示手段２０１は、表示処理手段２０２からの表示信号を表示し、ＹＣ分離手段９により分離されたＹ信号と、色復調処理手段１１０からのＲ−Ｙ、Ｂ−Ｙ信号による映像信号を表示することとなる。【０２９５】  以上のように本実施の形態８によれば、複数の放送方式、非標準信号に対し、コンポジット信号のサンプリング位相をサンプリング位相変換により補正した後、ＹＣ分離を行い、ライン間での位相関係や非標準信号であるかによらず、良好なＹＣ分離を行い、その後のＹ信号とＲ−Ｙ、Ｂ−Ｙ信号による映像信号を表示するので、クロスカラーやドット妨害など画質劣化のない良好な映像信号を表示することができる。【０２９６】  なお、上記実施の形態８では、上記実施の形態４においてＹＣ分離手段９、色復調手段１１０からの出力を表示するように表示処理手段２０２、表示手段２０１を設けたが、図３２に示すように上記実施の形態６において、ＹＣ分離手段８３と色復調手段１１０の後に表示処理手段２０２、表示手段２０１を設けても、上記実施の形態８と同様の効果を奏する。【０２９７】実施の形態９．
上記実施の形態１から３、および実施の形態５では、コンポジット信号を入力とし、ライン間もしくはフレーム間での位相関係や非標準信号であるかによらず、良好な２次元もしくは３次元ＹＣ分離を行い、Ｙ信号とＣ信号を得ることを説明したが、以下に示す実施の形態９では、コンポジット信号を入力とし、上記ＹＣ分離後のＹ信号とＣ信号による映像信号を記録する映像信号記録装置を示す。【０２９８】  図３３は、上記実施の形態１の図１を元にした実施の形態９による映像信号記録装置の一例を示すブロック図であり、図１と同様のものには同じ符号を付してある。図において、実施の形態９の映像信号記録装置は、Ａ／Ｄ変換手段１と、クロック発生手段２と、バースト位相検出手段３と、位相差算出手段４と、同期分離手段５と、タイミング信号発生手段６と、放送方式設定手段７と、サンプリング位相変換手段８と、ＹＣ分離手段９と、記録信号処理手段３００と、記録手段３０１を備えている。【０２９９】  一般に、ＴＶ放送やＶＴＲ、ＤＶＤおよびゲーム機等からの映像信号を記録する映像信号記録装置では、コンポジット信号を入力する入力端子を備えており、コンポジット信号入力をデジタル信号へ変換してＹＣ分離した後、ＹＣ分離後のＹ信号とＣ信号を処理し、画像として記録する。実施の形態９の映像信号記録装置は、上記実施の形態１の映像信号処理回路（図１参照）において、ＹＣ分離手段９からの出力であるＹ信号とＣ信号を処理する記録信号処理手段３００と、記録手段３０１を設け、ＹＣ分離した後の信号を記録するように構成したものである。これら記録信号処理手段３００および記録手段３０１に関する部分以外の構成、及び動作は、上記実施の形態１と同様であり、その詳細な説明は省略する。【０３００】  ［記録信号処理手段３００］
記録信号処理手段３００は、ＹＣ分離手段９により分離されたＹ信号とＣ信号が送られ、Ｙ信号とＣ信号に基づき、例えばＲＧＢ信号またはＹ信号とＲ−Ｙ、Ｂ−Ｙ信号へと変換し、ＭＰＥＧ２による画像圧縮などの符号化、記録のための記録変調処理などの記録信号処理を行い、記録信号として記録手段３０１へ出力する。【０３０１】  ［記録手段３０１］
記録手段３０１は、ＶＴＲ、ＤＶＤ、ハードディスクなどの記録媒体へ記録信号処理手段３００からの記録信号を記録するものであり、ＹＣ分離手段９により分離されたＹ信号とＣ信号による映像信号を記録媒体へ記録することとなる。【０３０２】  以上のように本実施の形態９によれば、複数の放送方式、非標準信号に対し、コンポジット信号のサンプリング位相をサンプリング位相変換により補正した後、ＹＣ分離を行い、ライン間での位相関係や非標準信号であるかによらず、良好なＹＣ分離を行い、その後のＹ信号とＣ信号による映像信号を記録するよう構成したので、クロスカラーやドット妨害など画質劣化のない良好な映像信号を記録することができる。【０３０３】  なお、上記実施の形態９では、上記実施の形態１においてＹＣ分離手段９からの出力を表示するように記録信号処理手段３００と記録手段３０１を設けたが、図３４に示すように上記実施の形態２において、記録信号処理手段３００、記録手段３０１を設けても、また、図３５に示すように上記実施の形態３において、記録信号処理手段３００、記録手段３０１を設けてもよく、さらには、図３６に示すように、上記実施の形態５において、ＹＣ分離手段８３の後に記録信号処理手段３００、記録手段３０１を設けても、上記実施の形態９と同様の効果を奏する。【０３０４】実施の形態１０．
上記実施の形態４および６では、コンポジット信号を入力とし、ライン間もしくはフレーム間での位相関係や非標準信号であるかによらず、良好な２次元もしくは３次元ＹＣ分離を行い、Ｙ信号と色復調した後のＲ−Ｙ、Ｂ−Ｙ信号を得ることを説明したが、以下に示す実施の形態１０では、コンポジット信号を入力とし、上記ＹＣ分離および色復調後のＹ信号とＲ−Ｙ、Ｂ−Ｙ信号による映像信号を記録する映像信号記録装置を示す。【０３０５】  図３７は、上記実施の形態４の図１８を元にした実施の形態１０による映像信号記録装置の一例を示すブロック図であり、図１８と同様のものには同じ符号を付してある。図において、実施の形態１０の映像信号記録装置は、Ａ／Ｄ変換手段１と、クロック発生手段２と、バースト信号位相検波手段１０と、位相差算出手段４と、同期分離手段５と、タイミング信号発生手段６と、放送方式設定手段７と、サンプリング位相変換手段８と、ＹＣ分離手段９と、色復調手段１１０と、記録信号処理手段３０２と、記録手段３０１を備えている。【０３０６】  一般に、ＴＶ放送やＶＴＲ、ＤＶＤおよびゲーム機等からの信号を記録する映像信号記録装置では、コンポジット信号を入力する入力端子を備えており、コンポジット信号入力をデジタル信号へ変換してＹＣ分離し、色復調した後、Ｙ信号とＲ−Ｙ、Ｂ−Ｙ信号を画像として記録する。実施の形態１０の映像信号記録装置は、上記実施の形態４の映像信号処理回路（図１８参照）において、ＹＣ分離手段９からの出力であるＹ信号と色復調手段１１０からのＲ−Ｙ、Ｂ−Ｙ信号を処理する記録信号処理手段３０２と、記録手段３０１を設け、ＹＣ分離および色復調した後の信号を記録するように構成したものである。これら記録信号処理手段３０２および記録手段３０１に関する部分以外の構成、及び動作は、上記実施の形態４と同様であり、また、記録手段３０１の構成、及び動作は、上記実施の形態９と同様であるので、その詳細な説明は省略する。【０３０７】  ［記録信号処理手段３０２］
記録信号処理手段３０２は、ＹＣ分離手段９により分離されたＹ信号と、色復調処理手段１１０からのＲ−Ｙ、Ｂ−Ｙ信号が送られ、Ｙ信号とＲ−Ｙ、Ｂ−Ｙ信号に基づき、ＭＰＥＧ２による画像圧縮などの符号化、記録のための記録変調処理などの記録信号処理を行い、記録信号として記録手段３０１へ出力する。記録手段３０１は、記録信号処理手段３０２からの記録信号を記録媒体へ記録する。【０３０８】  以上のように本実施の形態１０によれば、複数の放送方式、非標準信号に対し、コンポジット信号のサンプリング位相をサンプリング位相変換により補正した後、ＹＣ分離を行い、ライン間での位相関係や非標準信号であるかによらず、良好なＹＣ分離を行い、その後のＹ信号とＲ−Ｙ、Ｂ−Ｙ信号による映像信号を記録するので、クロスカラーやドット妨害など画質劣化のない良好な映像信号を記録することができる。【０３０９】  なお、上記実施の形態１０では、上記実施の形態４においてＹＣ分離手段９、色復調手段１１０からの出力を記録するように記録信号処理手段３０２、記録手段３０１を設けたが、図３８に示すように上記実施の形態６において、ＹＣ分離手段８３と色復調手段１１０の後に記録信号処理手段３０２、記録手段３０１を設けても、上記実施の形態１０と同様の効果を奏する。
【図１】
2005022928.tif 000003
【図２】
2005022928.tif 000004
【図３】
2005022928.tif 000005
【図４】
2005022928.tif 000006
【図５】
2005022928.tif 000007
【図６】
2005022928.tif 000008
【図７】
2005022928.tif 000009
【図８】
2005022928.tif 000010
【図９】
2005022928.tif 000011
【図１０】
2005022928.tif 000012
【図１１】
2005022928.tif 000013
【図１２】
2005022928.tif 000014
【図１３】
2005022928.tif 000015
【図１４】
2005022928.tif 000016
【図１５】
2005022928.tif 000017
【図１６】
2005022928.tif 000018
【図１７】
2005022928.tif 000019
【図１８】
2005022928.tif 000020
【図１９】
2005022928.tif 000021
【図２０】
2005022928.tif 000022
【図２１】
2005022928.tif 000023
【図２２】
2005022928.tif 000024
【図２３】
2005022928.tif 000025
【図２４】
2005022928.tif 000026
【図２５】
2005022928.tif 000027
【図２６】
2005022928.tif 000028
【図２７】
2005022928.tif 000029
【図２８】
2005022928.tif 000030
【図２９】
2005022928.tif 000031
【図３０】
2005022928.tif 000032
【図３１】
2005022928.tif 000033
【図３２】
2005022928.tif 000034
【図３３】
2005022928.tif 000035
【図３４】
2005022928.tif 000036
【図３５】
2005022928.tif 000037
【図３６】
2005022928.tif 000038
【図３７】
2005022928.tif 000039
【図３８】
2005022928.tif 000040
【国際調査報告】
2005022928.tif 000041
2005022928.tif 000042
2005022928.tif 000043
2005022928.tif 000044